(57)【要約】複数の吸収性物品と、再び閉じることができる包装とからなるパッケージである。包装は、中空の内部と、該内部の中に延びる開口部と、開口部を覆うためのフラップと、フラップを閉位置に取り外し可能に保持するためにポケット及び／又はフラップに配置された閉鎖部とを有する可撓性のポケットを含む。閉鎖部は、ポケットの内部から物品を継続的に取り出したときの継続的な閉鎖の際に、ポケットの内部に残っている物品に包装を適合させるために、フラップをポケット上の異なる位置に配置できるようにする。
2004518587.tif 000002
【特許請求の範囲】
【請求項１】
複数の吸収性物品と再び閉じることができる包装からなるパッケージであって、前記包装が、
前記複数の吸収性物品を収容するサイズ及び形状にされた中空の内部をもつ可撓性のポケットと、
前記ポケットの中空の内部の中に延び、該ポケットの中空の内部から前記複数の物品の少なくとも１つを取り出せるようにするサイズ及び形状にされた開口部と、
前記ポケットに取り付けられ、前記複数の吸収性物品を前記ポケットの中空の内部に保持するために、前記開口部を覆うように適合されたフラップと、
前記フラップを閉位置に取り外し可能に保持するために前記ポケットと前記フラップの少なくとも１つに配置された閉鎖部と、
を含み、前記フラップは、前記開口部から前記物品の少なくとも１つを取り出せるようにするために、該フラップによって前記開口部が実質的に遮られない開位置と、前記複数の物品を前記ポケットの中に保持し、前記少なくとも１つの物品が前記開口部から出て行くのを防ぐために、該フラップが前記開口部と前記ポケットの外部領域を覆う閉位置との間で選択的に動かすことができ、前記閉鎖部は、前記ポケットの内部から前記物品を継続的に取り出したときの継続的な閉鎖の際に、前記ポケットの内部に残っている物品に前記包装を適合させるために、前記フラップを前記ポケット上の異なる位置に配置できるようにすることを特徴とするパッケージ。
【請求項２】
前記複数の吸収性物品がスタック状に配置されたことを特徴とする請求項１に記載のパッケージ。
【請求項３】
前記吸収性物品が婦人用ケア製品を含むことを特徴とする請求項１に記載のパッケージ。
【請求項４】
前記婦人用ケア製品がパンティライナを含むことを特徴とする請求項３に記載のパッケージ。
【請求項５】
前記婦人用ケア製品が陰唇間パッドを含むことを特徴とする請求項３に記載のパッケージ。
【請求項６】
前記包装が、両側の側縁と前記側縁の間に延びる第１の折り目とを有する矩形のシートを含み、前記側縁の各々は前記第１の折り目によって分離された前部と後部とを有し、前記第１の折り目は前記ポケットの底部を形成し、前記側縁の各々の前部が、前記側縁の各々の対応する後部に接合されて、これにより前記ポケットの両側の側部が形成されることを特徴とする請求項１に記載のパッケージ。
【請求項７】
前記ポケットの両側の側部は、実質的にガセットなしであることを特徴とする請求項６に記載のパッケージ。
【請求項８】
前記シートが、前記側縁の間で前記第１の折り目にほぼ平行に上に延びる第２の折り目を有し、前記第２の折り目が、前記ポケットから前記フラップを分離することを特徴とする請求項６に記載のパッケージ。
【請求項９】
前記フラップが実質的に矩形であることを特徴とする請求項８に記載のパッケージ。
【請求項１０】
前記フラップが内面と外面を有し、前記フラップを閉位置に取り外し可能に保持するために、前記閉鎖部が前記フラップの前記内面上に配置されることを特徴とする請求項８に記載のパッケージ。
【請求項１１】
前記閉鎖部が、前記フラップの内面に適用された接着材料であることを特徴とする請求項１０に記載のパッケージ。
【請求項１２】
前記シートの各側縁の前部が、前記第１の折り目と反対側の上端を有し、前記第２の折り目が、前記側縁の前部の上端の近傍に及び前記開口部の近傍に配置されることを特徴とする請求項８に記載のパッケージ。
【請求項１３】
前記シートが、ヒートシール可能なポリマーシートであることを特徴とする請求項６に記載のパッケージ。
【請求項１４】
複数の吸収性物品と包装からなるパッケージであって、前記包装が、
前記複数の吸収性物品を収容するサイズ及び形状にされた中空の内部をもつ可撓性のポケットと、
前記ポケットの中空の内部の中に延び、該ポケットの中空の内部から前記複数の物品の少なくとも１つを取り出せるようにするサイズ及び形状にされた開口部と、
前記ポケットに取り付けられ、前記複数の吸収性物品を前記ポケットの中空の内部に保持するために、前記開口部を覆うように適合されたフラップと、
前記フラップを閉位置に取り外し可能に保持するために、前記ポケットと前記フラップの少なくとも１つに配置された接着式の閉鎖部と、
を含み、前記フラップは、前記開口部から前記物品の少なくとも１つを取り出せるようにするために、該フラップによって前記開口部が実質的に遮られない開位置と、前記複数の物品を前記ポケットの中に保持し、前記少なくとも１つの物品が前記開口部から出て行くのを防ぐために、該フラップが前記開口部と前記ポケットの外部領域を覆う閉位置との間で選択的に動かすことができることを特徴とするパッケージ。
【請求項１５】
前記複数の吸収性物品がスタック状に配置されたことを特徴とする請求項１４に記載のパッケージ。
【請求項１６】
前記吸収性物品が婦人用ケア製品を含むことを特徴とする請求項１４に記載のパッケージ。
【請求項１７】
前記婦人用ケア製品がパンティライナを含むことを特徴とする請求項１６に記載のパッケージ。
【請求項１８】
前記婦人用ケア製品が陰唇間パッドを含むことを特徴とする請求項１６に記載のパッケージ。
【請求項１９】
前記パッケージが、両側の側縁と前記側縁の間に延びる第１の折り目とを有する矩形のシートを含み、前記側縁の各々は前記第１の折り目によって分離された前部と後部とを有し、前記第１の折り目はポケットの底部を形成し、前記側縁の各々の前部が、前記側縁の各々の対応する後部に接合されて、これにより前記ポケットの両側の側部が形成されることを特徴とする請求項１４に記載のパッケージ。
【請求項２０】
前記ポケットの両側の側部は、実質的にガセットなしであることを特徴とする請求項１９に記載のパッケージ。
【請求項２１】
前記シートが、前記側縁の間で前記第１の折り目にほぼ平行に上に延びる第２の折り目を有し、前記第２の折り目が、前記ポケットから前記フラップを分離することを特徴とする請求項１９に記載のパッケージ。
【請求項２２】
前記フラップが実質的に矩形であることを特徴とする請求項２１に記載のパッケージ。
【請求項２３】
前記フラップが内面と外面を有し、前記フラップを閉位置に取り外し可能に保持するために前記閉鎖部が前記フラップの前記内面上に配置されることを特徴とする請求項２１に記載のパッケージ。
【請求項２４】
前記シートの各側縁の前部が、前記第１の折り目と反対側の上端を有し、前記第２の折り目が、前記側縁の前部の上端の近傍に及び前記開口部の近傍に配置されることを特徴とする請求項２１に記載のパッケージ。
【請求項２５】
前記シートが、ヒートシール可能なポリマーシートであることを特徴とする請求項１９に記載のパッケージ。
【請求項２６】
少なくとも１つの吸収性物品と包装からなるパッケージであって、前記包装が、
前記吸収性物品を収容するサイズ及び形状にされた中空の内部をもつ可撓性のポケットと、
前記ポケットの中空の内部の中に延び、該ポケットの中空の内部から前記物品を取り出せるようにするサイズ及び形状にされた開口部と、
前記ポケットに取り付けられ、前記吸収性物品を前記ポケットの中空の内部に保持するために、前記開口部を覆うように適合されたフラップと、
前記フラップを閉位置に取り外し可能に保持するために前記フラップに配置された接着式の閉鎖部と、
を含み、前記フラップは、前記開口部から前記物品を取り出せるようにするために、該フラップによって前記開口部が実質的に遮られない開位置と、前記物品を前記ポケットの中に保持し、前記少なくとも１つの物品が前記開口部から出て行くのを防ぐために、該フラップが前記開口部と前記ポケットの外部領域を覆う閉位置との間で選択的に動かすことができ、前記閉鎖部は、前記フラップの一部をつかんで該閉鎖部を剥離することなく前記ポケットから分離できるようにするために、前記フラップの遠位縁から間隔をおいて配置されることを特徴とするパッケージ。
【請求項２７】
前記閉鎖部が、前記フラップの遠位縁から少なくとも約４ミリメートルの位置に配置されたことを特徴とする請求項２６に記載のパッケージ。
【請求項２８】
前記閉鎖部が、前記フラップの遠位縁から約１６ミリメートルの位置に配置されたことを特徴とする請求項２７に記載のパッケージ。
【請求項２９】
前記遠位縁がほぼ直線状であり、前記接着式の閉鎖部は、前記包装フラップの遠位縁にほぼ平行に延びる接着材料の細長いストリップを含むことを特徴とする請求項２６に記載のパッケージ。
【請求項３０】
前記接着材料の細長いストリップが、約２０ミリメートルより小さい幅を有することを特徴とする請求項２９に記載のパッケージ。
【請求項３１】
前記接着材料のストリップが、約２ミリメートルより大きい幅を有することを特徴とする請求項３０に記載のパッケージ。
【請求項３２】
前記接着材料のストリップが、約７ミリメートルの幅を有することを特徴とする請求項３０に記載のパッケージ。
【請求項３３】
前記接着材料のストリップが、全長に沿ってほぼ連続的で途切れがないことを特徴とする請求項２９に記載のパッケージ。
【請求項３４】
前記フラップが、ほぼ矩形であることを特徴とする請求項２９に記載のパッケージ。
【請求項３５】
前記接着式の閉鎖部が、前記フラップのほぼ幅全体にわたって延びることを特徴とする請求項２６に記載のパッケージ。
【請求項３６】
前記接着式の閉鎖部が両面テープであることを特徴とする請求項２６に記載のパッケージ。
【請求項３７】
前記接着式の閉鎖部がホットメルト接着剤であることを特徴とする請求項２６に記載のパッケージ。
【請求項３８】
前記フラップが内面と外面を有し、前記フラップを閉位置に取り外し可能に保持するために、前記接着式の閉鎖部が前記フラップの前記内面上に配置されたことを特徴とする請求項２６に記載のパッケージ。
【請求項３９】
前記ポケットの中空の内部が、前記物品を含む複数の吸収性物品を収容するサイズ及び形状にされたことを特徴とする請求項２６に記載のパッケージ。
【請求項４０】
前記複数の吸収性物品がスタック状に配置されたことを特徴とする請求項３９に記載のパッケージ。
【請求項４１】
前記吸収性物品が婦人用ケア製品を含むことを特徴とする請求項２６に記載のパッケージ。
【請求項４２】
前記婦人用ケア製品がパンティライナを含むことを特徴とする請求項４１に記載のパッケージ。
【請求項４３】
前記婦人用ケア製品が陰唇間パッドを含むことを特徴とする請求項４１に記載のパッケージ。
【請求項４４】
スタック状に配置される予め選択された複数の吸収性物品と、
包装と、
からなるパッケージであって、前記吸収性物品の各々は、前記複数の物品の中の他の物品に対してほぼ一様な幅と、前記他の物品に対してほぼ一様な長さと、前記他の物品に対してほぼ一様な厚さとを有し、前記包装は、前記物品の少なくとも１つをそこから取り出せるようにするサイズ及び形状にされた再閉鎖可能な開口部を有する、前記吸収性物品を収容するための可撓性のポケットを備え、前記ポケットは、予め選択された数の物品をを収容したときに、前記物品の幅と長さと厚さとの積に前記物品の数を掛けたものの約２倍より小さく、かつ前記積に前記物品の数を掛けたものの約１倍より大きい体積をもつ中空の内部を少なくとも部分的に定めることを特徴とするパッケージ。
【請求項４５】
スタック状に配置される予め選択された複数の吸収性物品と包装とからなるパッケージであって、前記吸収性物品の各々が前記複数の物品の中の他の物品に対してほぼ一様な幅と、前記他の物品に対してほぼ一様な長さと、前記他の物品に対してほぼ一様な厚さとを有し、前記包装が、
前記物品の少なくとも１つをそこから取り出せるようにするサイズ及び形状にされた再閉鎖可能な開口部を有する、前記吸収性物品を収容するための可撓性のポケットと、
前記ポケットに取り付けられ、前記複数の吸収性物品を前記ポケットの中に保持するために前記開口部を覆うように適合されたフラップと、
前記フラップを閉位置に取り外し可能に保持するために、前記ポケットと前記フラップのうちの少なくとも１つの上に配置された接着式の閉鎖部と、
を含み、前記フラップは、前記開口部から前記物品の少なくとも１つを取り出せるようにするために、前記開口部が前記フラップによって実質的に遮られない開位置と、前記物品を前記ポケットの中に保持し、前記少なくとも１つの物品が前記開口部から出て行くのを防ぐために、該フラップが前記開口部と前記ポケットの外側領域を覆う閉位置との間で選択的に動かすことができ、前記フラップ及びポケットは、予め選択された数の物品を収容したときに、前記物品の幅と長さと厚さとの積に前記物品の数を掛けたものの約２倍より小さい体積をもつ中空の内部を定めることを特徴とするパッケージ。
【請求項４６】
スタック状に配置される予め選択された複数の吸収性物品と包装とからなるパッケージであって、前記吸収性物品の各々は、前記複数の物品の中の他の物品に対してほぼ一様な幅を有し、前記包装は、
物品の少なくとも１つをそこから取り出せるようにするサイズ及び形状にされた再び閉じることができる開口部をもつ、前記吸収性物品を収容するための可撓性のポケットを含み、前記ポケットは、前記物品がそこから取り出されたときに前記物品の幅の約２倍より小さく、前記予め選択された数の物品を収容したときに前記物品の幅の約１倍より大きい幅を有する中空の内部を少なくとも部分的に定めることを特徴とするパッケージ。
【請求項４７】
前記中空の内部の幅は、前記物品がそこから取り出されたときに、前記物品の約１．２倍であることを特徴とする請求項４６に記載のパッケージ。
【請求項４８】
スタック状に配置される予め選択された複数の吸収性物品と、
包装と、
からなるパッケージであって、前記吸収性物品の各々は、前記複数の物品のうちの他の物品に対してほぼ一様な幅を有し、前記包装は、
前記物品の少なくとも１つをそこから取り出せるようにするサイズ及び形状にされた開口部を有する、前記吸収性物品を収容するための可撓性のポケットと、
前記ポケットに取り付けられ、前記複数の吸収性物品を前記ポケットの中に保持するために前記開口部を覆うように適合されたフラップと、
前記フラップを閉位置に取り外し可能に保持するために、前記ポケットと前記フラップのうちの少なくとも１つの上に配置された接着式の閉鎖部と、
を含み、前記フラップは、前記開口部から前記物品の少なくとも１つを取り出せるようにするために、該フラップによって前記開口部が実質的に遮られない開位置と、前記物品を前記ポケットの中に保持し、前記少なくとも１つの物品が前記開口部から出て行くのを防ぐために、該フラップが前記開口部と前記ポケットの外側領域を覆う閉位置との間で選択的に動かすことができ、前記フラップ及びポケットは、予め選択された数の物品を収容したときに、前記物品の幅の約２倍より小さい幅を有する中空の内部を定めることを特徴とするパッケージ。
【請求項４９】
前記中空の内部の幅は、前記物品がそこから取り出されたときに、前記物品の幅の約１．２倍であることを特徴とする請求項４８に記載のパッケージ。
【請求項５０】
スタック状に配置される予め選択された複数の吸収性物品と、包装と、
からなるパッケージであって、前記吸収性物品の各々は、前記複数の物品のうちの他の物品に対してほぼ一様な長さを有し、前記包装は、前記物品の少なくとも１つをそこから取り出せるようにするサイズ及び形状にされた再閉鎖可能な開口部を有する、前記吸収性物品を収容するための可撓性のポケットを含み、前記ポケットは、そこから前記物品が取り出されたときに前記物品の長さの約２倍より小さい長さを有し、かつ前記予め選択された数の物品を収容したときに前記物品の長さの約１倍より大きい長さを有する中空の内部を少なくとも部分的に定めることを特徴とするパッケージ。
【請求項５１】
前記中空の内部の長さは、前記物品がそこから取り出されたときに、前記物品の約１．２倍の長さであることを特徴とする請求項５０に記載のパッケージ。
【請求項５２】
スタック状に配置される予め選択された複数の吸収性物品と、
包装と、
からなるパッケージであって、前記吸収性物品の各々は、前記複数の物品の中の他の物品に対してほぼ一様な長さを有し、前記包装が、
前記物品の少なくとも１つをそこから取り出せるようにするサイズ及び形状にされた再閉鎖可能な開口部を有する、前記吸収性物品を収容するための可撓性のポケットと、
前記ポケットに取り付けられ、前記複数の吸収性物品を前記ポケットの中に保持するために前記開口部を覆うように適合されたフラップと、
前記フラップを閉位置に取り外し可能に保持するために、前記ポケットと前記フラップのうちの少なくとも１つの上に配置された接着式の閉鎖部と、
を含み、前記フラップは、前記開口部から前記物品の少なくとも１つを取り出せるようにするために、該フラップによって前記開口部が実質的に遮られない開位置と、前記物品を前記ポケットの中に保持し、前記開口部から前記物品の少なくとも１つが出て行くのを防ぐために、該フラップが前記開口部と前記ポケットの外側領域を覆う閉位置との間で選択的に動かすことができ、前記フラップ及びポケットは、そこから前記物品が取り出されたときに、前記物品の長さの約２倍より小さい長さを有する中空の内部を定めることを特徴とするパッケージ。
【請求項５３】
前記中空の内部の長さは、そこから前記物品が取り出されたときに、前記物品の約１．２倍の長さであることを特徴とする請求項５２に記載のパッケージ。
【請求項５４】
スタック状に配置される予め選択された複数の吸収性物品と、
包装と、
からなるパッケージであって、前記吸収性物品の各々は、前記複数の物品のうちの他の物品に対してほぼ一様な幅を有し、前記包装は、前記物品の少なくとも１つをそこから取り出せるようにするサイズ及び形状にされた開口部を有する、前記吸収性物品を収容するための可撓性のポケットを含み、前記開口部は、前記ポケットに前記物品を収容したときに、前記物品の幅の約２倍より小さく前記物品の幅の約１倍より大きい幅を有することを特徴とするパッケージ。
【請求項５５】
前記開口部の幅は、前記物品がそこから取り出されたときに、前記物品の幅の約１．２倍であることを特徴とする請求項５４に記載のパッケージ。
【請求項５６】
スタック状に配置される予め選択された複数の吸収性物品と、
包装と、
からなるパッケージであって、前記吸収性物品の各々は、前記複数の物品のうちの他の物品に対してほぼ一様な幅と、他の物品に対してほぼ一様な厚さとを有し、前記包装は、前記物品の少なくとも１つをそこから取り出せるようにするサイズ及び形状にされた開口部を有する、前記吸収性物品を収容するための可撓性のポケットを含み、前記開口部は、前記ポケットに前記予め選択された数の物品を収容したときに、前記物品の幅と厚さとの積に前記物品の数を掛けたものの約２倍より小さく、かつ前記積に前記物品の数をかけたものの約１倍より大きい面積をもつことを特徴とするパッケージ。
【請求項５７】
少なくとも１つの吸収性物品と包装からなるパッケージであって、前記包装が、
前記吸収性物品を収容するサイズ及び形状にされた可撓性のポケットと、
前記ポケットの中空の内部の中に延び、前記ポケットの中空の内部から前記物品を取り出せるようにするための開口部と、
前記ポケットに取り付けられ、前記吸収性物品を前記ポケットの中空の内部に保持するために前記開口部を覆うように適合されたフラップと、
を含み、前記フラップは、前記開口部から前記物品を取り出せるようにするために、該フラップによって前記開口部が実質的に遮られない開位置と、前記物品を前記ポケットの中に保持し、前記開口部から前記物品が出て行くのを防ぐために、前記開口部と前記ポケットの外側領域をフラップが覆う閉位置との間で選択的に動かすことができ、前記フラップ及びポケットのうちの少なくとも１つが、フラップの縁の視覚識別性を改善するために、前記ポケットから前記フラップの縁を見分けるための視覚指示部を含むことを特徴とするパッケージ。
【請求項５８】
前記視覚指示部が、前記フラップ及びポケット上の視覚的に対比のある表面処理を含むことを特徴とする請求項５７に記載のパッケージ。
【請求項５９】
前記視覚的に対比のある表面処理が、前記フラップの外表面の一部の第１色と、前記ポケットの外表面の少なくとも一部の第２色とを含むことを特徴とする請求項５８に記載のパッケージ。
【請求項６０】
前記第１色が、前記包装の原材料の色であり、前記第２色が、前記包装上に印刷されたことを特徴とする請求項５９に記載のパッケージ。
【請求項６１】
前記包装の原材料の色が白であることを特徴とする請求項６０に記載のパッケージ。
【請求項６２】
前記第１色を有する前記フラップの外表面の一部が、前記フラップの縁マージンであることを特徴とする請求項５９に記載のパッケージ。
【請求項６３】
前記第１色を有する前記フラップの前記縁マージンが、前記フラップの下縁マージンを含むことを特徴とする請求項６２に記載のパッケージ。
【請求項６４】
前記第１色を有する前記下縁マージンが、約１５ミリメートルより小さい幅を有することを特徴とする請求項６３に記載のパッケージ。
【請求項６５】
前記第１色を有する前記下縁マージンが、約４ミリメートルより小さい幅を有することを特徴とする請求項６４に記載のパッケージ。
【請求項６６】
前記第１色を有する前記フラップの前記縁マージンが、前記フラップの両側の縁マージンを含むことを特徴とする請求項６２に記載のパッケージ。
【請求項６７】
前記第１色を有する前記側縁マージンが、約１５ミリメートルより小さい幅を有することを特徴とする請求項６６に記載のパッケージ。
【請求項６８】
前記第１色を有する前記側縁マージンが、約４ミリメートルより小さい幅を有することを特徴とする請求項６７に記載のパッケージ。
【請求項６９】
前記フラップが、前記第２色を含むことを特徴とする請求項５９に記載のパッケージ。
【請求項７０】
前記包装が、両側の側縁と前記側縁の間に延びる第１の折り目とを有する矩形のシートからなり、各側縁は、前記第１の折り目によって分離される前部と後部とを有し、前記第１の折り目は前記ポケットの底部を形成し、前記側縁の各々の前部は、前記側縁の各々の対応する後部に接合されて、これにより前記ポケットの両側部が形成され、前記シートの前記側縁に対応する前記側部マージンは、実質的に印刷なしであることを特徴とする請求項５７に記載のパッケージ。
【請求項７１】
前記シートが、ヒートシール可能なポリマーシートであることを特徴とする請求項７０に記載のパッケージ。
【請求項７２】
前記シートが、前記側縁の間で前記第１の折り目にほぼ平行に上に延びる第２の折り目を有し、前記第２の折り目が、前記フラップを前記ポケットから分離し、前記フラップの縁マージンが実質的に印刷なしであることを特徴とする請求項７０に記載のパッケージ。
【請求項７３】
前記実質的に印刷なしのフラップの縁マージンが、前記フラップの下縁マージンを含むことを特徴とする請求項７２に記載のパッケージ。
【請求項７４】
前記包装が、前記フラップを前記閉位置に取り外し可能に保持するために、前記ポケットと前記フラップのうちの少なくとも一方に配置された閉鎖部を含むことを特徴とする請求項５７に記載のパッケージ。
【請求項７５】
前記閉鎖部は、前記フラップの一部をつかんで該閉鎖部を剥離することなく前記ポケットから分離できるようにするために、前記フラップの遠位縁から間隔をおいて配置されることを特徴とする請求項７４に記載のパッケージ。
【請求項７６】
前記ポケットの前記中空の内部が、前記物品を含む複数の吸収性物品を収容するサイズ及び形状にされたことを特徴とする請求項５７に記載のパッケージ。
【請求項７７】
前記複数の吸収性物品がスタック状に配置されたことを特徴とする請求項７６に記載のパッケージ。
【請求項７８】
前記吸収性物品が婦人用ケア製品を含むことを特徴とする請求項５７に記載のパッケージ。
【請求項７９】
前記婦人用ケア製品がパンティライナを含むことを特徴とする請求項７８に記載のパッケージ。
【請求項８０】
前記婦人用ケア製品が陰唇間パッドを含むことを特徴とする請求項７８に記載のパッケージ。
【請求項８１】
前記フラップと前記ポケットのうちの少なくとも一方が、前記フラップの触覚判別性を高めるために、前記ポケットから前記フラップの縁を判別するための触覚指示部を含むことを特徴とする請求項５７に記載のパッケージ。
【請求項８２】
前記触覚指示部が、前記フラップ及びポケットの少なくとも一方の外表面のテキスチャー化された部分を含むことを特徴とする請求項８１に記載のパッケージ。
【請求項８３】
前記テキスチャー化された部分が、前記フラップの外表面のローレット切りされた部分であることを特徴とする請求項８２に記載のパッケージ。
【請求項８４】
複数の実用パッケージと、取り外し可能な親包装とからなる親パッケージであって、前記実用パッケージの各々が、複数の吸収性物品と、前記複数の吸収性物品を収容するサイズ及び形状にされた中空の内部を有する可撓性のポケットと、前記中空の内部の中に延び、かつ該ポケットの中空の内部から前記複数の物品の少なくとも１つを取り出せるようにするサイズ及び寸法にされた再閉鎖可能な開口部とを有し、前記親包装が、前記複数の実用パッケージを取り囲み、かつ前記複数の実用パッケージを収容する中空の内部を有することを特徴とする親パッケージ。
【請求項８５】
前記複数の吸収性物品が婦人用ケア製品を含むことを特徴とする請求項８４に記載の親パッケージ。
【請求項８６】
前記婦人用ケア製品の各々は、取り外し可能なラップ材によって取り囲まれることを特徴とする請求項８５に記載の親パッケージ。
【請求項８７】
前記婦人用ケア製品がパンティライナを含むことを特徴とする請求項８５に記載の親パッケージ。
【請求項８８】
各パンティライナは、取り外し可能なラップ材によって取り囲まれることを特徴とする請求項８７に記載の親パッケージ。
【請求項８９】
前記取り外し可能なラップ材が矩形のシートからなり、前記矩形のシートが、
前部、中央部、及び後部を有する両側の側縁と、
前記側縁の間に延びて前記中央部と前記後部を分離し、これにより前記ラップ材の底部を形成する第１の折り目と、
前記側縁の間で前記第１の折り目にほぼ平行に上に延びて、前記中央部と前部を分離し、これによりラップ材の上部を形成する第２の折り目と、
を有し、前記側縁の各々の中央部が前記側縁の各々の対応する後部に接合され、前記側縁の各々の前部が前記側縁の各々の対応する中央部に接合され、これにより前記ラップ材の両側の側部を形成することを特徴とする請求項８８に記載の親パッケージ
ことを特徴とする請求項８８に記載の親パッケージ。
【請求項９０】
前記親包装が、その上に印刷を含むことを特徴とする請求項８４に記載の親パッケージ。
【請求項９１】
前記実用包装の各々が、前記ポケットに取り付けられ、前記複数の吸収性物品を前記ポケットの中空の内部の中に保持するために前記開口部を覆うように適合されたフラップを含み、前記フラップが、前記開口部から前記物品の少なくとも１つを取り出せるようにするために、該フラップによって前記開口部が実質的に遮られない開位置と、前記物品を前記ポケットの中に保持し、前記開口部から前記物品の少なくとも１つが出て行くのを防ぐために、該フラップが前記開口部と前記ポケットの外側領域を覆う閉位置との間で選択的に動かすことができるようにされることを特徴とする請求項８４に記載の親パッケージ。
【請求項９２】
前記実用包装の各々が、前記フラップを前記閉位置に取り外し可能に保持するために、前記ポケットと前記フラップのうちの少なくとも一方に配置された閉鎖部を含むことを特徴とする請求項９１に記載の親パッケージ。
【請求項９３】
前記閉鎖部が、接着式の閉鎖部であることを特徴とする請求項９２に記載の親パッケージ。
【請求項９４】
前記実用包装の各々が矩形のシートからなり、前記矩形のシートが、両側の側縁と前記側縁の間に延びる第１の折り目とを有し、前記側縁の各々は、前記第１の折り目によって分離される前部と後部を有し、前記第１の折り目は前記ポケットの底部を形成し、前記側縁の各々の前部が前記側縁の各々の対応する後部に接合されて、これにより前記ポケットの両側の側部が形成されることを特徴とする請求項９１に記載の親パッケージ。
【請求項９５】
前記シートが、前記側縁の間で前記第１の折り目にほぼ平行に上に延びる第２の折り目を有し、これにより前記第２の折り目が前記ポケットから前記フラップを分離することを特徴とする請求項９４に記載のパッケージ。
【請求項９６】
前記複数の吸収性物品が、前記実用包装の中でスタック状に配置されることを特徴とする請求項８４に記載のパッケージ。
【請求項９７】
前記複数の実用パッケージが、前記親包装の内部で少なくとも１つのスタック状に配置されることを特徴とする請求項８４に記載のパッケージ。
【請求項９８】
前記複数の吸収性物品が、約８より少ない吸収性物品を含むことを特徴とする請求項８４に記載のパッケージ。
【請求項９９】
前記複数の吸収性物品が、約５つの吸収性物品を含むことを特徴とする請求項９８に記載のパッケージ。
【請求項１００】
前記複数の実用パッケージが、約１２より少ない実用パッケージを含むことを特徴とする請求項８４に記載のパッケージ。
【請求項１０１】
前記複数の実用パッケージが、約１０の実用パッケージを含むことを特徴とする請求項１００に記載のパッケージ。
【請求項１０２】
前記複数の実用パッケージが２つのスタック状に配置されることを特徴とする請求項１０１に記載のパッケージ。
【請求項１０３】
前記複数の実用パッケージが、約９の実用パッケージを含むことを特徴とする請求項１０２に記載のパッケージ。
【請求項１０４】
前記複数の実用パッケージが単一のスタック状に配置されることを特徴とする請求項１０３に記載のパッケージ。
【請求項１０５】
前記親包装がガセットを含むことを特徴とする請求項８４に記載のパッケージ。
【請求項１０６】
パッドの取替えを、衛生的な状態に維持して必要な時に衛生的な状態で使うために直ちに入手可能となるような手法で衛生的な状態で持ち運ぶための陰唇間パッドのパッケージであって、前記パッケージが、レセプタクルと、前記レセプタクルの中の取替えパッドとを含み、前記レセプタクルは、必要な時に使用するためにそこからパッドを取り出すことができる開口部を有し、前記レセプタクルは、前記開口部を閉じるための再閉鎖可能な閉鎖部を有し、前記閉鎖部は、前記パッドを衛生的な状態で持ち運ぶために、及びパッドを取り出した後の前記レセプタクルの中に残っているパッドを衛生的な状態で持ち運び続けるために閉じられることを特徴とするパッケージ。
【請求項１０７】
前記陰唇間パッドが個包装されることを特徴とする請求項１０６に記載のパッケージ。
【請求項１０８】
前記レセプタクルがバッグからなり、該バッグは、側部と底部で接合され、かつ前記開口部を定めるために上部において互いに実質的に自由である前壁及び後壁を備え、前記フラップは、前記後壁と一体にされ、前記開口部の上に折り畳まれ、前記前壁の上に重なり、前記前壁に取り外し可能に付着されることを特徴とする請求項１０６に記載のパッケージ。
【請求項１０９】
前記バッグが、折り畳まれて前記前壁及び後壁を形成するブランクを含み、前記折り目が、前記バッグの底部を構成し、前記前壁及び後壁が、それらの側部で互いに取り付けられることを特徴とする請求項１０８に記載のパッケージ。
【請求項１１０】
前記ブランクが、前記バッグの中に包装されたパッドを隠すために少なくとも部分的に不透明にされ、前記前壁は、前記フラップを取り外し可能に付着するために、該前壁の上に感圧接着剤を有することを特徴とする請求項１０９に記載のパッケージ。
【請求項１１１】
前記ブランクがプラスチックフィルムからなることを特徴とする請求項１０９に記載のパッケージ。
【請求項１１２】
前記陰唇間パッドが、個包装されることを特徴とする請求項１０８に記載のパッケージ。
【請求項１１３】
前記レセプタクルは、前記開口部が上になった状態で側部と底部で接合された前壁及び後壁を有するバッグからなり、前記閉鎖部が、前記開口部に隣接する前記壁を横切って延びるプレス嵌め部材からなることを特徴とする請求項１０６に記載のパッケージ。
【請求項１１４】
前記バッグが、折り畳まれて前記前壁及び後壁を形成するブランクからなり、前記折り目が前記バッグの底部を構成し、前記前壁及び後壁が、それらの側部で互いに取り付けられることを特徴とする請求項１１３に記載のパッケージ。
【請求項１１５】
前記ブランクは、前記バッグの中の包装されたパッドを隠すために、少なくとも部分的に不透明にされることを特徴とする請求項１１４に記載のパッケージ。
【請求項１１６】
前記ブランクがプラスチックフィルムからなることを特徴とする請求項１１４に記載のパッケージ。
【請求項１１７】
前記陰唇間パッドが個包装されることを特徴とする請求項１１４に記載のパッケージ。
【請求項１１８】
前記レセプタクルは、前記開口部が上になった状態で側部と底部で接合された前壁及び後壁を有するバッグからなり、前記閉鎖部が、前記開口部に隣接する前記壁を横切って延びるスライド式のファスナ部材と、スライド式のファスナからなることを特徴とする請求項１０６に記載のパッケージ。
【請求項１１９】
前記バッグが、折り畳まれて前記前壁及び後壁を形成するブランクからなり、前記折り目が前記バッグの底部を構成し、前記前壁及び後壁がそれらの側部で互いに取り付けられることを特徴とする請求項１１８に記載のパッケージ。
【請求項１２０】
前記ブランクが、前記バッグの中に前記包装されたパッドを隠すために、少なくとも部分的に不透明にされることを特徴とする請求項１１９に記載のパッケージ。
【請求項１２１】
前記ブランクがプラスチックフィルムからなることを特徴とする請求項１１９に記載のパッケージ。
【請求項１２２】
前記陰唇間パッドが個包装されることを特徴とする請求項１１９に記載のパッケージ。
【請求項１２３】
前記レセプタクルは、各々が開口部を有する２つのポケットをもつ札入れの形態であり、前記開口部が内側になるように半分に折り畳むことができることを特徴とする請求項１０６に記載のパッケージ。
【請求項１２４】
プラスチックフィルムの細長い矩形の外側壁と、前記外側壁の内面を構成する面を横切って、前記外側壁の片側から他方側まで前記外側壁の端部から内向きに延びる内側壁とを備え、前記内側壁の各々は、前記外側壁の長さの中央より短く終わり、その内縁において開口部をもつパッド収容ポケットを形成することを特徴とする請求項１２３に記載のパッケージ。
【請求項１２５】
前記レセプタクルが、細長い矩形のブランクからなり、その端部が折り畳まれて前記内側壁を構成し、折り目は前記ポケットの底部を形成し、前記折り畳まれた端部は両側で前記折り目の中間の前記ブランク部分に取り付けられ、前記部分が前記外側壁を構成することを特徴とする請求項１２４に記載のパッケージ。
【請求項１２６】
前記ブランクが、前記バッグの中の前記包装されたパッドを隠すために、少なくとも部分的に不透明にされることを特徴とする請求項１２５に記載のパッケージ。
【請求項１２７】
前記ブランクが、プラスチックフィルムからなることを特徴とする請求項１２５に記載のパッケージ。
【請求項１２８】
前記パッドの取替えのうちの前記陰唇間パッドの各々は、実質的に同じサイズのものであることを特徴とする請求項１０６に記載のパッケージ。
【請求項１２９】
陰唇間パッドのみが前記レセプタクルの中に入れられることを特徴とする請求項１０６に記載のパッケージ。
【発明の詳細な説明】
【０００１】
（技術分野）
本発明は、一般にパッケージに関し、より詳細には、吸収性物品のためのパッケージに関する。
【０００２】
（背景技術）
パンティライナ、婦人用ナプキン及びタンポンのような吸収性物品は、必要とされるときまで、ハンドバッグ、バックパック、及びブリーフケースに入れて持ち運ぶことが多い。典型的には、該物品は、こうした入れ物の中に無造作に入れられる。不運にも、こうした入れ物は、該物品に常に衛生的な環境を与えるものではなく、このため該物品が汚れ及び／又は損傷することがある。さらに、該物品は、入れ物の中で散乱して、必要な時に見つけるのが困難となることがある。
【０００３】
従来、一度にいくつもの吸収性物品を収容するために専用にデザインされたポーチが普及していた。これらのポーチは、物品同士の接触を減らし、潜在的には非衛生的な環境であるが、必要な時に物品を見つけやすくする。ポーチは、厚手のビニールのような耐久性のある材料から作成されるので、再使用することができるが、再使用するにはその時々にポーチを詰め替えする必要がある。さらに、ポーチは、永く使用すると非衛生的となることが多く、きれいにするか、又は捨てる及び取り替えることを必要とする。
【０００４】
これらの問題を回避するために、或る人は、物品を収納するために透明なプラスチック製のサンドイッチ・バッグを使用する。これらのバッグは、普通は物品のために衛生的な環境を維持し、必要な時に該物品を見つけやすくする。このバッグはその時々に詰め替えする必要があるが、容易に使い捨てすること及び取り替えることができ、これにより、永く使用することによって引き起こされる幾つかの懸念及び不便さが減少する。しかしながら、このバッグは透明なので、バッグの中身が見えてしまう。或るユーザはもっと目立たない包装を所望する。したがって、目立たず、使い捨てすることができ、一度に幾つもの物品を収容するために経済的に再び閉じることができるパッケージに対する必要性がある。
【０００５】
上述の必要性に見合う包装の１つの形式は、物品を収納するためのポケットと、必要なときに該ポケットから物品を取り出すための開口部とを含む。さらに、パッケージは、開口部を選択的に覆うためのフラップを含む。フラップは、開口部を覆うときに該フラップをポケットに対して保持するための接着式の閉鎖部を有する。接着式の閉鎖部及び／又はフラップは、物品が必要とされるときに開口部の覆いを外すためにポケットからフラップを分離する際に、識別する及び／又はつかむのが困難な場合があることが知られている。したがって、直ちに識別することができ、包装を開閉するときに容易につかむことができるフラップを備える包装に対する必要性がある。
【０００６】
さらに、ポケット又は開口部が小さ過ぎる場合には、包装から物品を取り出すのが困難になることが知られている。しかしながら、ポケットが大き過ぎると、包装の見栄えが悪くなったりかさばることがあり、物品がポケットの中で乱雑になる場合がある。さらに、開口部が大き過ぎると、物品があまりにも簡単にポケットから出てしまう。したがって、適切なサイズのポケットと開口部を備える包装に対する必要性がある。
さらに、幾つかの包装のサイズは、ハンドバッグ、バックパック又はブリーフケースに入れて持ち運ぶのに適しているが、一般的な小売のために経済的なサイズにされていない。さらに、包装は、消費者が使用するために適切な耐久性をもつが、これは小売場所への流通のために十分な耐久性ではない。したがって、幾つかの実用パッケージを保持するサイズにされた耐久性のある親包装に対する必要性がある。
【０００７】
（発明の開示）
手短に述べると、本発明の装置は、複数の吸収性物品と再び閉じることができる包装とからなるパッケージである。包装は、可撓性のポケットを含み、該ポケットは、複数の吸収性物品を収容するサイズ及び形状にされた中空の内部と、ポケットの中空の内部の中に延び、かつ該ポケットの中空の内部から複数の物品の少なくとも１つを取り出せるようにする開口部とを備える。包装はまた、ポケットに取り付けられ、複数の吸収性物品をポケットの中空の内部に保持するために開口部を覆うように適合されたフラップを含む。フラップは、開口部から物品を取り出せるようにするために、該フラップによって開口部が実質的に遮られない開位置と、物品をポケットの中に保持し、物品が開口部から出て行くのを防ぐために、該フラップが開口部とポケットの外側領域を覆う閉位置との間で選択的に動かすことができる。さらに、包装は、フラップを閉位置に取り外し可能に保持するために、ポケット及び／又はフラップの上に配置される閉鎖部を含む。閉鎖部は、ポケットの内部から物品を継続的に取り出したときの連続的な閉鎖の際に、ポケットの内部に残っている物品に包装を適合させるために、フラップをポケット上の異なる位置に配置できるようにする。
【０００８】
本発明の別の態様においては、包装は、可撓性のポケットと、開口部と、フラップと、フラップを閉位置に取り外し可能に保持するためにポケット及び／又はフラップ上に配置される接着式の閉鎖部とを含む。
本発明の更に別の態様においては、包装は、フラップを閉位置に取り外し可能に保持するためにフラップ上に配置された接着式の閉鎖部を含む。閉鎖部は、フラップの一部をつかんで、該閉鎖部を剥離することなくポケットから分離できるようにするために、フラップの遠位縁から間隔をおいて配置される。
【０００９】
別の態様においては、本発明の装置は、スタック状に構成される予め選択された複数の吸収性物品を有するパッケージを含む。吸収性物品の各々は、他の物品に対してほぼ一様な幅、長さ、及び厚さをもつ。パッケージはさらに、可撓性のポケットを備える包装を含み、該可撓性のポケットは、予め選択された数の物品を収容するときに、物品の幅と長さと厚さとの積に物品の数をかけたものの約２倍より小さく、かつ物品の幅と長さと厚さとの積に物品の数をかけたものの約１倍より大きい体積をもつ中空の内部ポケットを少なくとも部分的に定める。
【００１０】
さらに別の態様においては、フラップとポケットは、予め選択された数の物品を収容するときに、物品の幅と長さと厚さとの積に物品の数をかけたものの約２倍より小さい体積をもつ中空の内部を定める。
本発明のさらに別の態様においては、ポケットは、物品がそこから取り出されるときに物品の幅の約２倍より小さい幅を有し、かつ予め選択された数の物品を収容するときに物品の幅の約１倍より大きい幅を有する中空の内部を少なくとも部分的に定める。
さらに別の態様においては、フラップ及びポケットは、予め選択された数の物品を収容するときに物品の幅の少なくとも約２倍より小さい幅を有する中空の内部を定める。
【００１１】
別の態様においては、ポケットは、物品がそこから取り出されるときに物品の長さの約２倍より小さい長さを有し、かつ予め選択された数の物品を収容するときに物品の長さの約１倍より大きい長さを有する中空の内部を少なくとも部分的に定める。
さらに別の態様においては、フラップ及びポケットは、物品がそこから取り出されるときに物品の長さの少なくとも約２倍より小さい長さを有する中空の内部を定める。
【００１２】
さらに別の態様においては、開口部は、ポケットが物品を収容するときに、物品の幅の約２倍より小さく且つ物品の幅の約１倍より大きい幅を有する。
さらに別の態様においては、開口部は、ポケットが予め選択された数の物品を収容するときに物品の幅と厚さとの積に物品の数をかけたものの約２倍より小さく、かつ物品の幅と厚さとの積に物品の数をかけたものの約１倍より大きい面積をもつ。
本発明の別の態様は、フラップの縁の視覚識別性を向上させるために、ポケットからフラップの縁を見分けるための視覚指示部を含む、少なくとも１つのフラップ及びポケットに向けられる。
【００１３】
本発明のさらに別の態様においては、親パッケージは、複数の実用パッケージを含む。実用パッケージの各々は、複数の吸収性物品と実用包装とを含む。実用包装は、複数の吸収性物品を収容するサイズ及び形状にされた中空の内部と、ポケットの中空の内部の中に延び、ポケットの中空の内部から複数の物品の少なくとも１つを取り出せるようにするサイズ及び形状にされた再び閉じることができる開口部を有する可撓性のポケットを含む。親パッケージはまた、複数の実用パッケージを取り囲む取り外し可能な親包装を含み、該親包装は、複数の実用パッケージを収容するサイズ及び形状にされた中空の内部を有する。
【００１４】
最終的な態様においては、本発明は、陰唇間パッドの取替えを衛生的な状態に維持し、必要とされるときに衛生的な状態で使用するために直ちに入手できるようにする手法で、パッドの取替えを衛生的な状態で持ち運ぶための陰唇間パッドのパッケージを含む。パッケージは、レセプタクルとレセプタクルの中のパッドの取替えとを含む。レセプタクルは、必要とされるときに使用するために、そこからパッドを取り出すことができる開口部を有する。さらに、レセプタクルは、開口部を閉鎖するための再び閉じることができる閉鎖部を有する。閉鎖部は、パッドを衛生的な状態で持ち運ぶために、及びパッドを取り出した後にレセプタクルの中に残ったパッドを衛生的な状態で継続して持ち運ぶために閉鎖される。
本発明の他の特徴は、ある程度明らかとなり、以下にある程度説明される。
【００１５】
（発明を実施するための最良の形態）
幾つかの図面を通して、対応する参照特徴は対応する部分を示す。
次に、図面、具体的には図１を参照すると、従来の個々にラップされた吸収性物品が、全体を符号２０で示されている。図１に示された吸収性物品２０は、全体を２４で示すラップ材によって取り囲まれたパンティライナ２２であるが、本発明は、婦人用ナプキン、タンポン、陰唇間パッド、その他の婦人用ケア製品、成人用ケア製品、幼児用ケア製品及び乳児用ケア製品といった他の吸収性物品２０にも適用可能であることが当業者には分かるであろう。さらに、当業者であれば、図示された物品２０は個々にラップされているが、該物品は本発明の範囲から逸脱することなく、ラップされなくてもよいことが分かるであろう。
【００１６】
図１に示されたパンティライナ２２は、通常の手法で２回折り畳まれて、ほぼ平たいほぼ矩形の物品を与える。折り畳まれたパンティライナ２２は、本発明の範囲を逸脱することなく他のサイズをもつこともできるが、一実施形態においては、折り畳まれたライナは、約５０ミリメートルの幅、約７０ミリメートルの長さ、及び約５ミリメートルの厚さをもつ。パンティライナ２２は、本発明の範囲から逸脱することなく、折り畳まれなくても良い及び／又は矩形にされなくても良いことも想定されている。
【００１７】
ラップ材２４は、本発明の範囲から逸脱することなく他の方法で作ることもできるが、一実施形態においては、ラップ材は、両側の側縁３２、３４と、両側の端縁３６、３８を有する矩形のシート３０を含む。側縁３２、３４の間に延びるシート３０の第１の折り目４０がラップ材２４の底部を形成し、側縁の間で第１の折り目にほぼ平行に上に延びるシートの第２の折り目４２がラップ材の上部を形成する。第１の折り目４０は、後部４６からラップ材２４の中央部４４を分離し、第２の折り目４２は、ラップ材の前部４８から中央部を分離する。中央部４４の側縁３２、３４が後部４６に接合され、前部４８の側縁が中央部に接合されて、ラップ材の両側部が形成される。端縁３６に隣接するシート３０のマージン５０は、端縁３８に隣接するシートのマージン５２に重なる。前部４８の側縁３２、３４を、後部４６に接合することが望ましい場合があることも想定されている。
【００１８】
矩形のシート３０の側縁３２、３４は、本発明の範囲を逸脱することなく他の方法で（例えば接着剤やヒートシールによって）接合することもできるが、一実施形態においては、側縁マージンは、図示のような通常の機械的留め付け手段によって接合される。ラップされた物品２０は、本発明の範囲から逸脱することなく他のサイズにすることもできるが、一実施形態においては、物品は、約７５ミリメートルの幅５４と、約７５ミリメートルの長さ５６と、約５ミリメートルの厚さ５８（図４）をもつ。さらに、物品の寸法２０は、本発明の範囲から逸脱することなく物品によって違っていてもよいが、一実施形態においては、寸法はほぼ一様である。さらに、寸法は、本発明の範囲から逸脱することなく、与えられた物品の間で違っていても良いし、不変であっても良い。ラップ材２４は、本発明の範囲から逸脱することなく他の材料から作ることもできるが、一実施形態においては、ラップ材は、約３８ミクロンの厚さをもつ低密度ポリエチレンシート材料から作られる。ラップ材２４は、本発明の範囲から逸脱することなく接着剤か又は他の閉鎖部（図示せず）を備えることができることも想定されている。
【００１９】
図２−図４に示されるように、本発明の実用パッケージは、全体を符号６０で示されている。パッケージ６０は、通常は、複数の吸収性物品２０（図４）と、全体を６２で示す再び閉じることができる包装とからなる。前述のように、物品２０は、本発明の範囲から逸脱することなく折り畳まれても折り畳まれなくても良く、個々にラップされてもされなくても良いことが想定されている。物品２０は、本発明の範囲から逸脱することなく他の方法で配置することもできるが、一実施形態においては、物品は、図４に示されるように面と面が合わさった状態のスタック状に配置される。パッケージ６０は、エンドユーザの都合のために選択された多数の物品２０を含む。例えば、パッケージ６０は、約１週間又はそれ以下にわたる物品の取替えを与えるために、約８より少ない吸収性物品２０を含むことができる。パッケージ６０は、通常の１週間の労働日数（すなわち５日）にわたる物品の取替えを与えるために、約５個の吸収性物品２０を含むことが望ましいことも想定されている。
【００２０】
包装６２は、可撓性のポケット６４を含む。ポケット６４は、図４に示すように、予め選択された数の吸収性物品２０を収容するサイズ及び形状にされた中空の内部６６を有する。開口部６８は、ポケット６４の中空の内部６６の中に延びる。開口部６８は、ポケット６４の中空の内部６６から複数の物品２０の少なくとも１つを取り出せるようにするサイズ及び形状にされる。さらに、包装６２は、ポケット６４に取り付けられ、開口部６８を覆ってポケット６４の中空の内部６６の中の複数の物品２０を保持するように適合されたフラップ７０を含む。フラップ７０は、開口部から物品を取り出せるようにするために、該フラップによって開口部がほぼ遮られない図３に示されるような開位置と、物品をポケットの中に保持し、物品が開口部から出て行かないようにするために、該フラップが開口部とポケット６４の外側領域７２（図３）を覆う図２に示されるような閉位置との間で選択的に動かすことができる。一実施形態においては、フラップ７０は、ほぼ矩形であり、ほぼ直線の遠位縁７４を有する。しかしながら、フラップ７０は、本発明の範囲から逸脱することなく半円形又は三角形といった形状にしてもよいことが当業者には明らかであろう。
【００２１】
図３に示すように、閉鎖部７６は、フラップを閉位置に取り外し可能に保持するために、フラップ７０の内面７８上に配置される。閉鎖部７６は、フラップ７０上に配置する代わりに又はそれに加えて、ポケット６４の外部領域７２上に配置できることも想定されている。閉鎖部７６は、ポケットの内部６６から物品２０を継続的に取り出したときの継続的な閉鎖の際に、ポケットの内部に残っている物品に包装６２を適合させるために、フラップ７０をポケット６４上の異なる位置に配置できるようにすることが好ましい。本発明の範囲から逸脱することなく他の閉鎖部７６を使用することもできるが、一実施形態においては、閉鎖部は、フラップ７０を閉位置に取り外し可能に保持することができる通常の取り外し可能なホットメルト接着剤か又は取り外し可能な両面テープのような接着材料である。
【００２２】
閉鎖部７６は、本発明の範囲から逸脱することなく他の位置に配置することもできるが、一実施形態においては、閉鎖部は、フラップの自由部分をつかんでポケット６４から分離して、フラップをとらえて閉鎖部を外せるようにするために、フラップ７０の遠位縁７４から間隔をおいて配置される。閉鎖部７６は、フラップ７０の遠位縁７４から少なくとも約４ミリメートルの距離８０だけ間隔をおいて配置されることが望ましい場合があることも想定されている。距離８０は、約１６ミリメートルとされることが望ましい場合があることも想定されている。
【００２３】
閉鎖部７６は、本発明の範囲から逸脱することなく他の形状をもつこともできるが、一実施形態においては、閉鎖部は、包装フラップ７０の遠位縁７４にほぼ平行に延びる接着材料の細長いストリップである。一実施形態においては、接着材料のストリップは、全長に沿って実質的に連続しており、途切れがないが、他の実施形態は、本発明の範囲から逸脱することなく長さに沿って不連続な及び／又は途切れのある接着材料を有しても良いことが想定されている。さらに、ストリップは、フラップ７０の実質的に幅全体８２にわたって延びて、これによりフラップの角部８４がポケット６４の付近の定位置に保持されることが望ましいことも想定されている。細長いストリップは、本発明の範囲から逸脱することなく他の幅を有しても良いが、一実施形態においては、ストリップは、約２０ミリメートルより小さく約２ミリメートルより大きい幅８６をもつ。ストリップの幅８６は、約７ミリメートルとされることが望ましい場合がある。
【００２４】
包装６２は、本発明の範囲から逸脱することなく他の方法で作ることもできるが、図５に示された一実施形態においては、包装は、両側の側縁９２、９４と両側の端縁９６、９８とを有する矩形のシート９０を含む。側縁９２、９４の間に延びる第１の折り目１００が包装６２の底部を形成し、側縁の間で第１の折り目にほぼ平行に上に延びる第２の折り目１０２（図２）が包装の上部を形成する。第１の折り目１００は、後部１０６から包装６２の中央部１０４を分離する。中央部１０４と後部１０６が、包装６２のポケット６４を形成する。第２の折り目１０２は、包装６２の前部１０８から中央部１０４を分離する。包装６２の前部１０８がフラップ７０を形成する。第２の折り目１０２は、本発明の範囲から逸脱することなく他の位置に配置することもできるが、一実施形態においては、第２の折り目は、開口部６８の近傍に、及び前部１０８の上端の近傍（すなわち、シート９０の縁９８の近傍）に配置される。中央部１０４は、側縁９２、９４に沿って対応する後部１０６に接合されて、包装６２の両側の側部を形成する。中央部１０４と後部１０６は、本発明の範囲から逸脱することなく他の方法で（例えば接着剤か又は機械的留め付けによって）接合することもできるが、一実施形態においては、これらは通常のヒートシールによって接合される。包装６２は、本発明の範囲から逸脱することなく他の材料から作ることもできるが、一実施形態においては、包装は、ポリエチレンを約８０％、及び他のポリオレフィンを約２０％含み、約４５ミクロンの厚さを有し、中国上海所在のＳｈａｎｇｈａｉ  Ｚｉｈｕａ  Ｅｎｔｅｒｐｒｉｓｅ  Ｃｏｍｐａｎｙ，Ｌｉｍｉｔｅｄから入手可能な材料のようなヒートシール可能なポリマーシート材料から作られる。包装６２は、本発明の範囲から逸脱することなく、コート紙、織成材料、非織成材料、ポリエチレン、ポリプロピレン、コポリマー、押し出しポリマー、熱成形ポリマー、及び／又は厚紙から作ることができることも想定されている。一実施形態においては、ポケット６４は、実質的にガセットが付いていないが、別の実施形態においては、ポケットの側部は、ほぼ平らなボタンの付いた包装６２を与える通常のガセット（図示せず）を含む。
【００２５】
包装６２の内部６６はフラップ７０によって定められるが、ポケット６４は、本発明の範囲から逸脱することなく他のサイズをもつこともでき、内部は、予め選択された数の物品２０を収容するときに、物品の幅５４と長さ５６と厚さ５８との積に物品の数をかけたものの約２倍より小さく、かつ物品の幅５４と長さ５６と厚さ５８との積に物品の数をかけたものの約１倍より大きい体積をもつことが望ましい場合がある。上述のように、物品２０の数は、エンドユーザの都合によって選択される。例えば、パッケージ６０は、通常の１週間の労働日数（すなわち５日）にわたる物品の取替えを与えるために、約５つの吸収性物品２０を含むことが望ましいことも想定されている。さらに、内部６６は、物品が取り出されて図５に示されるようにポケット６４が平らになったときに、物品の幅５４の約２倍より小さい幅を有し、予め選択された数の物品を収容したときに、物品の幅の約１倍より大きい幅を有することが望ましい。一実施形態においては、物品２０が取り出されたときの中空の内部６６の幅は、物品の幅の約１．２倍である。同様に、内部６６は、物品が取り出されてポケット６４が平らになったときに、物品の長さ５６の約２倍より小さい長さを有し、予め選択された数の物品を収容したときに、物品の長さの約１倍より大きい長さを有することが望ましい場合がある。一実施形態においては、物品２０が取り出されたときの中空の内部６６の長さは、物品の長さ５６の約１．２倍である。さらに、一実施形態においては、開口部６８は、ポケット６２が物品２０を収容したときに、物品の幅５４の約２倍より小さく物品の幅５４の約１倍より大きい幅を有する。開口部の幅は、物品の幅５４の約１．２倍とすることが望ましい場合がある。一実施形態においては、開口部６８は、ポケットが予め選択された数の物品２０を収容したときに、物品の幅５４と厚さ５８との積に物品の数を掛けたものの約２倍より小さく、かつ物品の幅と厚さとの積に物品の数をかけたものの約１倍より大きい面積をもつ。
【００２６】
図２に示されるように、フラップ７０及び／又はポケット６４は、ポケットからフラップの縁７４を見分けるために、全体を１１０で示す視覚指示部を含むことが望ましい場合がある。指示部１１０は、フラップをつかんで開位置に向けて動かすときに、フラップ７０の縁７４の視覚的な識別性を改善する。視覚指示部１１０は、フラップ７０及びポケット６４上の視覚的に対比のある表面処理を含む。本発明の範囲を逸脱することなく他の視覚的に対比のある表面処理を使用することもできるが、一実施形態においては、視覚的に対比のある表面処理は、外表面すなわちフラップ７０の外面１１２の少なくとも一部の第１の色と、ポケット６４の外表面１１４の少なくとも一部の第２の色とを含む。さらに、色のうちの一方は包装材料の原材料の色で、他方の色は、包装６２上に印刷されることが望ましい場合がある。例えば、包装６２の原材料の色が白である場合には、フラップ７０の下側の縁マージン１１６と両側の側部マージン１１８は、実質的に背景色や文字のような印刷なしにして、フラップの中央部が対比色（例えば青）の印刷を含むようにすることができる。マージン１１６、１１８は、図面の仮想の線によって描写される。縁マージン１１６、１１８は、本発明の範囲から逸脱することなく他の幅を有することもできるが、一実施形態においては、縁マージンは、約１５ミリメートルより小さい幅１２０をもつことができる。縁マージンの幅１２０は、約４ミリメートルとされることが望ましい場合がある。フラップ７０の縁マージン１１６、１１８からの印刷を省くことに加えて、ポケット６４の側部マージン（仮想の線によって描写される）は、側部がヒートシールされるときに印刷の色が変退色することを防ぐために、実質的に印刷されないことが望ましい場合がある。さらに、フラップ７０及び／又はポケット６４は、フラップの縁の触知判別性を改善するために、ポケットからフラップの縁７４を判別するための触知できる指示部（図示せず）を含むことが望ましい場合がある。触知できる指示部は、フラップ７０及び／又はポケット６４の外表面上のテキスチャー化された（例えばローレット切り）部分とすることができることも想定されている。
【００２７】
親パッケージは、図６に全体を１３０で示されている。親パッケージ１３０は、上述のような複数の実用パッケージ６０を含む。さらに、親パッケージ１３０は、実用パッケージ６０を取り囲む取り外し可能な親包装１３２を含む。親包装１３２は、実用パッケージを収容するサイズ及び形状にされた中空の内部を有する。親包装は、外表面上に印刷（図示せず）を有することができることも想定されている。さらに、実用パッケージ６０は、親包装１３２の内部で１つ又はそれ以上のスタック状に配置できることも想定されている。例えば、実用パッケージ６０は、図６に示されるような２つのスタック状に配置するか、又は図７に示されるような１つのスタック状に配置することができる。親パッケージ１３０は、本発明の範囲から逸脱することなく異なる数の実用パッケージ６０を含むこともできるが、図示された実施形態においては、親パッケージは、約１２より少ない実用パッケージを含む。例えば、親パッケージ１３０は、図６に示されるように約１０の実用パッケージ６０を含むか、又は図７に示されるように約９の実用パッケージを含むことができる。さらに、親包装１３２の１つ又はそれ以上の側部は、包装に平らな側部を与えるために、通常のガセット１３４を含むことが望ましい場合がある。親包装１３２は、本発明の範囲から逸脱することなく他の材料から作ることもできるが、一実施形態においては、親包装は、通常の包装方法を用いて、約４５ミクロンの厚さをもつポリエチレンシート材料から作られる。
【００２８】
実用パッケージ６０は、本発明の範囲から逸脱することなく別の構成をとり得ることも想定されている。例えば、図８に示されるように、フラップ７０を包装６２のポケット６４に対して閉位置に保持するために、通常の接着式タブ閉鎖部１４０を使用することができる。図９に示される別の実施形態は、フラップ７０がほぼ三角形の構成であり、破りやすい穿孔１４２によって最初にポケット６４に接合されることを除いては、図８のものと類似している。
【００２９】
図１０及び図１１の図面を参照すると、陰唇間パッドが、全体を符号１５０で示されている。本発明によって包装することができる陰唇間パッドの例示的なものであるパッド１５０は、通常は、前述の米国特許第４，５９５，３９２号及び第４，６７３，４０３号に開示されたタイプのものであり、これらの特許は引用によりここに組み入れられる。一実施形態においては、パッド１５０は、ほぼ楕円形であり、横方向突出部１５２を有する。当業者であれば分かるように、陰唇間パッドは、本発明の範囲から逸脱することなく他の形状をとることもできる。一実施形態のパッド１５０は、液体不透過性層１５６（例えばプラスチックフィルム）上の吸収性材料の層１５４のラミネートを含むが、不透過性層なしのものを含む他の構成を有するパッドも考慮されている。図１２及び図１３に示すように、一実施形態においては、パッド１５０は、１５８で示されるように長軸上で半分に折り畳まれ、図１４及び図１５に示すように、縦方向シーム１６２及び端部シール１６４を有する細長くほぼ平たいシールされた衛生的なパッケージ１６０の中に個々にラップされる。別の実施形態においては、パッケージ１６０は、シールされなくてもよいし、全て省略されても良いことが想定されている。さらに、パッド１５０は、本発明の範囲から逸脱することなく折り畳まれなくても良いことが想定されている。パッケージ１６０は、本発明の範囲から逸脱することなく他の材料から作ることもできるが、一実施形態においては、パッケージは、ヒートシール可能なプラスチックフィルムから作られ、別の実施形態においては、パッケージは紙から作られる。シーム１６２及びシール１６４は、ヒートシールすること、機械的にシールすること、又は接着剤結合することのような通常のプロセスのいずれかによって作ることができる。さらに、パッド１５０は、厚紙裏当て１６５を有するパッケージ１６０の中にシールすることができる。
【００３０】
図１６及び図１７に示されるように、本発明の第４実施形態のパッケージは、全体を符号１６６で示される。パッケージ１６６は、陰唇間パッド１５０の取替え１６８を収容し、該取替え１６８は、各々のシールされた衛生的なパッケージ１６０の中に個々にラップされ、必要な時に使用するために直ちに入手可能である。パッケージ１６６は、通常は、シールされたパッケージ１６０の中のパッド１５０を必要な時に使うためにそこから取り出すことができる口又は開口部１７２（特に図１９参照）を有するレセプタクル１７０（例えばポケット）を含む。レセプタクル１７０は、開口部１７２を閉じるための再閉鎖可能なフラップ１７９を有する。フラップ１７４は、パッド１５０が取り出された後に、レセプタクル１７０の中の残りのパッドを必要とされるまで保持するために、閉じることができる。
【００３１】
レセプタクル１７０は、側部１８０及び１８２と底部１８４で接合され、開口部１７２を定めるために上部において互いから自由にされる前壁１７６及び後壁１７８を有するバッグからなる。後壁１７８と一体にされたフラップ１７４は、開口部１７２の上に折り畳まれ、これにより前壁１７６の上に重なる。フラップ１７４は、接着剤か又は機械的閉鎖部１８６によって前壁１７６に取り外し可能に付着される。レセプタクル１７６は、折り目１８４に沿って折り畳まれた細長い矩形のブランクから形成されて、前壁１７６及び後壁１７８を形成する。一実施形態においては、ブランクは、ポリエチレンフィルムのようなプラスチックフィルムである。別の実施形態においては、ブランクは、不織材料か又は不織ラミネート及びフィルムラミネートである。折り目１８４は、レセプタクル１７０の底部を構成する。前壁１７６及び後壁１７８は、両側部においてヒートシール１８０ｓ及び１８２ｓによって互いにシールされ、バッグの開口部１７２を定めるために上部において互いから自由にされる。バッグがそれから作られるプラスチックフィルム（例えばポリエチレン）は、バッグの中に包装されたパッドを隠すために着色する（例えば青）ことによってほぼ不透明にされる。一実施形態においては、閉鎖部１８６は、フラップを取り外し可能に付着するための両面テープのような感圧接着剤のスポット１９４である。別の実施形態（図示せず）においては、閉鎖部１８６は、レセプタクル１７０に沿って側部から側部まで延びる感圧接着剤のストライプを含む。パッド１５０のパッケージ１６０（例えば約３個から約６個までの数）は、垂直方向に配置されて、レセプタクル１７０の開口部１７２から底部１８４まで延びる。別の実施形態においては、パッド１５０は、レセプタクル１７０の側部から側部まで水平方向に配置できることが想定されている。レセプタクル１７０は、本発明の範囲から逸脱することなく他の寸法をもつことができるが、一実施形態においては、レセプタクルは、側部から側部までで測定された約１０．８ｃｍの全体幅と、開口部１７２から底部１８４までで測定された約９．５ｃｍから約１４．０ｃｍまでの間の全体高さとをもつ。さらに、この一実施形態のフラップ１７４は、レセプタクル１７０の幅に一致する幅と、約５．１ｃｍの高さをもつ。本発明の第４実施形態のパッケージ１６６は、第１、第２及び第３実施形態のパッケージについて上述した種々の特徴を含むことができることが想定されている。
【００３２】
したがって、パッド１５０の取替え１６８は、衛生的な状態で持ち運ぶことができる。レセプタクル１７０（フラップ１７４を含む）は不透明なので、中身は見えず、これにより目立たないように持ち運ぶことができる。パッド１５０は、フラップ１８４を後ろに（図１８及び図１９に示される解放状態まで）引っ張って、レセプタクル１７０を開けて、シールされたパッケージ１６０を取り出し、パッケージを破いて中に入っているパッド１５０を出すことにより、必要な時に衛生的な状態で使用するために直ちに入手することができる。破って開けられたパッケージ１６０は捨てられる。フラップ１７４は、閉鎖部１８６の使用によって、バッグを再び閉じるためにレセプタクル１７０の前壁１７６に再び付着させることができる。
【００３３】
図２０及び図２１は、全体を１９６で示された本発明のパッケージの第５実施形態を示す。第５実施形態のパッケージ１９６もまた、不透明なプラスチック製のレセプタクル１９８を含み、該レセプタクル１９８は、ヒートシールされた側部シームによって側部２０４及び２０６で接合された前壁２００及び後壁２０２を有し、底部及び開口部２１０のための折り目２０８を有する。フラップ１７４及び閉鎖部１８６の代わりに、レセプタクル１９８には、前壁２００及び後壁２０２を横切って開口部２１０に隣接して延びる通常のプレス嵌め部材２１２及び２１４（すなわち通常の相互鎖錠可能なプラスチック・チャネル）が設けられる。レセプタクル１９８は、パッド１５０の複数のパッケージ１６０（例えば３から６まで）を保持する。図示された実施形態においては、パッケージ１６０は、底部２０８からプレス嵌め部材２１２、２１４のすぐ下の隣接する開口部２１０まで垂直方向に延びるが、パッケージは側部から側部まで水平方向に延びてもよいことも想定されている。プレス嵌め部材２１２、２１４は、プラスチック製のバッグ上に通常用いられるものであり、更に詳細には説明しない。レセプタクル１９８は、本発明の範囲から逸脱することなく他の寸法をもつこともできるが、一実施形態においては、レセプタクルは、側部から側部までで測定された約１０．８ｃｍの全体幅と、開口部２１０から底部２０８までで測定された約９．５ｃｍから約１４．０ｃｍまでの間の全体高さを有する。
【００３４】
図２２及び図２３は、全体を２１６で示す本発明のパッケージの第６実施形態を示す。第６実施形態のパッケージ２１６は、大部分において、通常のスライド式ファスナ部材２１８及び２２０（プレス嵌め部材２１２及び２１４ではない）と通常のスライド式ファスナ２２２の使用以外は第５実施形態のパッケージ１９６と同じである。部材２１８、２２０及びスライド式ファスナ２２２は、プラスチックバッグ上に通常用いられるようなものであり、更に詳細には説明しない。第６実施形態のパッケージ２１６のレセプタクルは、本発明の範囲から逸脱することなく他の寸法をもつこともできるが、一実施形態においては、レセプタクルは、側部から側部までで測定された約９．５ｃｍから約１４．０ｃｍまでの全体幅と、開口部から底部までで測定された約１０．８ｃｍの全体高さとをもつ。
【００３５】
図２４−図２６は、全体を２３０で示す本発明のパッケージの第７実施形態を示す。第７実施形態のパッケージ２３０は、札入れの形態であり、各々が他方の開口部に面する開口部２３２ｍ、２３４ｍをもつ２つのポケット２３２及び２３４を有する。パッケージ２３０は、開口部２３２ｍ、２３４ｍが内側になるように半分に折り畳むことができる。パッド１５０のパッケージ１６０は、ポケットの中にストックされる。パッケージ２３０は、不透明のプラスチックフィルムの細長い矩形の外側壁２３６と、外側壁の片側から他方の側まで外側壁の内面２４２を横切って外側壁の端部から内向きに延びる該フィルムの内側壁２３８及び２４０とを含む。各内側壁２３８、２４０は、外側壁２３６の中央より短く終わり、これによりパッド収容ポケットの開口部２３２ｍ、２３４ｍを形成する。
【００３６】
更なる詳細においては、レセプタクル２３０は、不透明なプラスチックフィルムの細長い矩形のブランクを備え、その一部は、２４４、２４６で示されるように折り畳まれて、内側壁２３８、２４０を形成する。折り目２４４、２４６は、ポケットの底部２３２、２３４を形成する。内側壁２３８、２４０を形成する折り畳まれた端部は、２４８及び２５０で示されるように両側で、外側壁２３６を構成する折り目２４４、２４６の間のブランク部分にヒートシールされる。ポケット２３２、２３４の開口部は、図２６に示されるようにその上でレセプタクルを折り畳むことができる外側壁２３６の中央において、折り線Ｆの両側に延びる。レセプタクル２３０は、外側壁２３６にヒートシールされ、かつその上に感圧接着剤のスポット（又はストライプ）２５４を有するタブ２５２によって閉じた状態に保持される。或いは、図２７に示されるように、スポット（又はストライプ）２５４は、内側壁の一方、例えば内側壁２４０に適用して、第８実施形態のパッケージを形成することができる。第７及び第８実施形態のパッケージ２３０のポケット２３２、２３４は、本発明の範囲から逸脱することなく他の寸法をもつこともできるが、一実施形態においては、ポケットは、側部から側部までで測定された約９．５ｃｍから約１４．０ｃｍまでの間の全体幅と、各開口部から各底部までで測定された約６．３ｃｍから約８．９ｃｍまでの間の全体高さを有する。
【００３７】
陰唇間パッドのパッケージは、陰唇間パッドを含むように上述されたが、パッケージは、他の婦人用ケア製品及びそれに関連する取替えを含み得ることが当業者であれば分かるであろう。例えば、パッケージは、陰唇間パッドの取替えと、タンポン及び／又はパンティライナの取替えを収容することができる。パッケージに収容できる関連する取替えは、拭取り材及び／又はティッシュを含む。さらに、パッケージは、本発明の範囲から逸脱することなく１つ以上のサイズの陰唇間パッドを含み得ることが想定されている。
【００３８】
上記のことから見て、本発明の幾つかの目的が達成され、他の有利な結果が得られることが分かるであろう。
本発明の要素又はそれらの好ましい実施形態を説明するときに、不定冠詞、定冠詞及び「前記」は、１つ又はそれ以上の要素があるということを意図している。「備える」、「含む」、及び「有する」という用語は、包含的なものであることを意図しており、記載した要素以外にも別の要素がありうることを意味する。
上述の解釈において本発明の範囲から逸脱することなく種々の変更を行うことができ、上述の説明又は添付の図面に示す内容の全ては、例示として解釈されるべきであり、限定的意味を有するものではないことが意図されている。
【図面の簡単な説明】
【図１】
取り外し可能なラップ材によって取り囲まれた従来技術のパンティライナの正面図である。
【図２】
閉位置にあるパッケージのフラップが示されている本発明の実用パッケージの正面図である。
【図３】
開位置にあるフラップが示されている実用パッケージの正面図である。
【図４】
フラップが開位置にある実用パッケージの平面図である。
【図５】
実用パッケージの空の包装の正面図である。
【図６】
中に入っている実用パッケージを示すために部分的に切り取られた状態の、本発明の第１実施形態の親パッケージの正面図である。
【図７】
中に入っている実用パッケージを示すために部分的に切り取られた状態の、本発明の第２実施形態の親パッケージの正面図である。
【図８】
本発明の第２実施形態の実用パッケージの正面図である。
【図９】
本発明の第３実施形態の実用パッケージの正面図である。
【図１０】
詳細を示すために部分的に切り取られた状態の、本発明によって包装できるような陰唇間パッドの平面図である。
【図１１】
陰唇間パッドの縁の図である。
【図１２】
折り畳まれたパッドを示す平面図である。
【図１３】
図１２の線１３−１３の平面に沿って見た断面である。
【図１４】
折り畳まれたパッドを収容する衛生的な包装の正面図である。
【図１５】
図１４の線１５−１５の平面に沿って見た断面である。
【図１６】
中に包装されたパッドが破線で示されている閉じられた状態の本発明の第４実施形態のパッケージの正面図である。
【図１７】
図１６の線１７−１７の平面に沿って見た断面である。
【図１８】
開かれた状態の図１６のパッケージの正面図である。
【図１９】
図１８の線１８−１８の平面に沿って見た断面である。
【図２０】
中に包装されたパッドが破線で示されている本発明の第５実施形態のパッケージの正面図である。
【図２１】
図２０の線２１−２１の平面に沿って見た断面である。
【図２２】
中に包装されたパッドが破線で示されている本発明の第６実施形態のパッケージの正面図である。
【図２３】
図２２の線２３−２３の平面に沿って見た断面である。
【図２４】
中に包装されたパッドが破線で示されている、開かれた状態の本発明の第７実施形態のパッケージの正面図である。
【図２５】
図２４の線２５−２５の平面に沿って見た断面である。
【図２６】
開かれた状態の図２４のパッケージの正面図である。
【図２７】
中に包装されたパッドが破線で示されている、開かれた状態の本発明の第８実施形態のパッケージの正面図である。
【図１】
2004518587.tif 000003
【国際公開パンフレット】
2004518587.tif 000004
2004518587.tif 000005
2004518587.tif 000006
2004518587.tif 000007
2004518587.tif 000008
2004518587.tif 000009
2004518587.tif 000010
2004518587.tif 000011
2004518587.tif 000012
2004518587.tif 000013
2004518587.tif 000014
2004518587.tif 000015
2004518587.tif 000016
2004518587.tif 000017
2004518587.tif 000018
2004518587.tif 000019
2004518587.tif 000020
2004518587.tif 000021
2004518587.tif 000022
2004518587.tif 000023
2004518587.tif 000024
2004518587.tif 000025
2004518587.tif 000026
2004518587.tif 000027
2004518587.tif 000028
2004518587.tif 000029
2004518587.tif 000030
2004518587.tif 000031
2004518587.tif 000032
2004518587.tif 000033
2004518587.tif 000034
2004518587.tif 000035
2004518587.tif 000036
2004518587.tif 000037
2004518587.tif 000038
2004518587.tif 000039
2004518587.tif 000040
2004518587.tif 000041
2004518587.tif 000042
2004518587.tif 000043
2004518587.tif 000044
2004518587.tif 000045
2004518587.tif 000046
2004518587.tif 000047
2004518587.tif 000048
2004518587.tif 000049
2004518587.tif 000050
2004518587.tif 000051
【国際公開パンフレット（コレクトバージョン）】
2004518587.tif 000052
2004518587.tif 000053
2004518587.tif 000054
2004518587.tif 000055
2004518587.tif 000056
2004518587.tif 000057
2004518587.tif 000058
2004518587.tif 000059
2004518587.tif 000060
2004518587.tif 000061
2004518587.tif 000062
2004518587.tif 000063
2004518587.tif 000064
2004518587.tif 000065
2004518587.tif 000066
2004518587.tif 000067
2004518587.tif 000068
2004518587.tif 000069
2004518587.tif 000070
2004518587.tif 000071
2004518587.tif 000072
2004518587.tif 000073
2004518587.tif 000074
2004518587.tif 000075
2004518587.tif 000076
2004518587.tif 000077
2004518587.tif 000078
2004518587.tif 000079
2004518587.tif 000080
2004518587.tif 000081
2004518587.tif 000082
2004518587.tif 000083
2004518587.tif 000084
2004518587.tif 000085
2004518587.tif 000086
2004518587.tif 000087
2004518587.tif 000088
2004518587.tif 000089
2004518587.tif 000090
2004518587.tif 000091
2004518587.tif 000092
2004518587.tif 000093
2004518587.tif 000094
2004518587.tif 000095
2004518587.tif 000096
2004518587.tif 000097
2004518587.tif 000098
2004518587.tif 000099
【国際公開パンフレット（コレクトバージョン）】
2004518587.tif 000100
2004518587.tif 000101
【手続補正書】
【提出日】平成15年1月14日(2003.1.14)
【手続補正１】
【補正対象書類名】明細書
【補正対象項目名】特許請求の範囲
【補正方法】変更
【補正の内容】
【特許請求の範囲】
【請求項１】
８個より少ない複数の個々にラップされた婦人用ケア吸収性物品と、再び閉じることができる包装とからなり、前記包装が、
スタック状に配置された前記複数の婦人用ケア吸収性物品を収容する中空の内部をもつ可撓性のポケットと、
前記ポケットの中空の内部の中に延び、該ポケットの中空の内部から前記複数の個々にラップされた婦人用ケア物品の少なくとも１つを取り出せるようにするサイズ及び形状にされた開口部と、
前記ポケットに取り付けられ、前記複数の個々にラップされた婦人用ケア物品を前記ポケットの中空の内部に保持するために、前記開口部を覆うように適合されたフラップと、
前記フラップを閉位置に取り外し可能に保持するために前記フラップに配置された閉鎖部と、
を含み、前記ポケットの中空の内部は、前記複数の個々にラップされた婦人用ケア物品によって実質的に満たされる体積を有し、これにより前記ポケットは前記物品のスタックに適合し、前記複数の個々にラップされた婦人用ケア物品を収容した前記パッケージは、ハンドバッグの中に入るサイズにされ、前記フラップは、前記開口部から前記物品の少なくとも１つを取り出せるようにするために、該フラップによって前記開口部が実質的に遮られない開位置と、前記複数の物品を前記ポケットの中に保持し、前記少なくとも１つの物品が前記開口部から出て行くのを防ぐために、該フラップが前記開口部と前記ポケットの外側領域を覆う閉位置との間で選択的に動かすことができ、前記閉鎖部は、前記ポケットの内部から前記物品を継続的に取り出したときの継続的な閉鎖の際に、前記ポケットの内部に残っている物品に前記包装を適合させるために、前記開口部を横切る線に沿って前記ポケットの外側領域上の異なる位置に継続的に配置できるようにすることを特徴とするパッケージ。
【請求項２】
前記吸収性物品が、使いきりのラップ材でラップされることを特徴とする請求項１に記載のパッケージ。
【請求項３】
前記婦人用ケア物品がパンティライナを含むことを特徴とする請求項１に記載のパッケージ。
【請求項４】
前記婦人用ケア物品が陰唇間パッドを含むことを特徴とする請求項１に記載のパッケージ。
【請求項５】
前記包装が、両側の側縁と前記側縁の間に延びる第１の折り目とを有する矩形のシートを含み、前記側縁の各々は前記第１の折り目によって分離された前部と後部とを有し、前記第１の折り目は前記ポケットの底部を形成し、前記側縁の各々の前部が、前記側縁の各々の対応する後部に接合されて、これにより前記ポケットの両側の側部が形成されることを特徴とする請求項１に記載のパッケージ。
【請求項６】
前記ポケットの両側の側部は、実質的にガセットなしであることを特徴とする請求項５に記載のパッケージ。
【請求項７】
前記シートが、前記側縁の間で前記第１の折り目にほぼ平行に上に延びる第２の折り目を有し、前記第２の折り目が、前記ポケットから前記フラップを分離することを特徴とする請求項５に記載のパッケージ。
【請求項８】
前記フラップが実質的に矩形であることを特徴とする請求項７に記載のパッケージ。
【請求項９】
前記フラップが内面と外面を有し、前記フラップを閉位置に取り外し可能に保持するために、前記閉鎖部が前記フラップの前記内面上に配置されることを特徴とする請求項７に記載のパッケージ。
【請求項１０】
前記閉鎖部が、前記フラップの内面に適用された接着材料であることを特徴とする請求項９に記載のパッケージ。
【請求項１１】
前記シートの各側縁の前部が、前記第１の折り目と反対側の上端を有し、前記第２の折り目が、前記側縁の前部の上端の近傍に及び前記開口部の近傍に配置されることを特徴とする請求項７に記載のパッケージ。
【請求項１２】
前記シートが、ヒートシール可能なポリマーシートであることを特徴とする請求項５に記載のパッケージ。
【請求項１３】
前記ポケットの外側領域に係合させて前記フラップを閉位置に取り外し可能に保持するために、前記フラップ上に、接着材料からなる接着式の閉鎖部が配置され、前記接着式の閉鎖部は、前記フラップの一部をつかんで、該閉鎖部を剥離することなく前記ポケットから分離できるようにするために、前記フラップの遠位縁から間隔をおいて配置されることを特徴とする請求項１４に記載のパッケージ。
【請求項１４】
前記閉鎖部が、前記フラップの遠位縁から少なくとも約４ミリメートルの位置に配置されたことを特徴とする請求項１３に記載のパッケージ。
【請求項１５】
前記閉鎖部が、前記フラップの遠位縁から約１６ミリメートルの位置に配置されたことを特徴とする請求項１３に記載のパッケージ。
【請求項１６】
前記遠位縁がほぼ直線状であり、前記接着式の閉鎖部は、前記包装フラップの遠位縁にほぼ平行に延びる接着材料の細長いストリップを含むことを特徴とする請求項１３に記載のパッケージ。
【請求項１７】
前記接着材料の細長いストリップが、約２０ミリメートルより小さい幅を有することを特徴とする請求項１６に記載のパッケージ。
【請求項１８】
前記接着材料のストリップが、約２ミリメートルより大きい幅を有することを特徴とする請求項１７に記載のパッケージ。
【請求項１９】
前記接着材料のストリップが、約７ミリメートルの幅を有することを特徴とする請求項１７に記載のパッケージ。
【請求項２０】
前記接着材料のストリップが、全長に沿ってほぼ連続的で途切れがないことを特徴とする請求項１６に記載のパッケージ。
【請求項２１】
前記フラップが、ほぼ矩形であることを特徴とする請求項１６に記載のパッケージ。
【請求項２２】
前記接着式の閉鎖部が、前記フラップのほぼ幅全体にわたって延びることを特徴とする請求項１３に記載のパッケージ。
【請求項２３】
前記接着式の閉鎖部が両面テープであることを特徴とする請求項１３に記載のパッケージ。
【請求項２４】
前記接着式の閉鎖部がホットメルト接着剤であることを特徴とする請求項１３に記載のパッケージ。
【請求項２５】
前記フラップが内面と外面を有し、前記フラップを閉位置に取り外し可能に保持するために、前記接着式の閉鎖部が前記フラップの前記内面上に配置されたことを特徴とする請求項１３に記載のパッケージ。
【請求項２６】
スタック状に配置される予め選択された複数の吸収性物品と、
包装と、
からなるパッケージであって、前記吸収性物品の各々は個々にラップされ、前記ラップされた吸収性物品の各々は、前記複数の物品の中の他の物品に対してほぼ一様な幅を有し、前記包装は、前記スタック状に配置された複数の婦人用ケア吸収性物品を収容し、かつ前記物品の少なくとも１つをそこから取り出せるようにするために、前記ラップされた吸収性物品の幅に等しいか又はそれより大きい幅をもつ再び閉じることができる開口部を有する可撓性のポケットと、近位端で前記ポケットに接続されたフラップと、前記ポケット及びフラップの少なくとも一方に関連し、前記ポケット及びフラップの他方を閉位置に取り外し可能に取り付けて前記開口部から前記吸収性物品が出て行くのを防ぐための閉鎖部とを含み、前記フラップは、前記開口部を通して前記ポケットから前記吸収性物品を取り出せるようにするための開位置と、該フラップが前記開口部を覆って前記吸収性物品が出て行くのを防ぐ閉位置との間で選択的に動かすことができ、前記ポケットは、そこから前記物品が取り出されたときに前記物品の幅の約２倍より小さく、かつ前記予め選択された数の物品を収容したときに前記物品の幅の約１倍より大きい幅を有する中空の内部を少なくとも部分的に定めることを特徴とするパッケージ。
【請求項２７】
前記中空の内部の幅は、そこから前記物品が取り出されたときに前記物品の幅の約１．２倍であることを特徴とする請求項２６に記載のパッケージ。
【請求項２８】
スタック状に配置される予め選択された複数の吸収性物品と、包装とからなるパッケージであって、前記吸収性物品の各々は、個々にラップされ、かつ前記複数の物品の中の他の物品に対してほぼ一様な幅を有し、前記包装が、
前記物品の少なくとも１つをそこから取り出せるようにするサイズ及び形状にされた開口部を有する、前記吸収性物品を収容するための可撓性のポケットと、
前記ポケットに取り付けられ、前記複数の吸収性物品を前記ポケットの中に保持するために前記開口部を覆うように適合されたフラップと、
前記フラップを閉位置に取り外し可能に保持するために、前記ポケットと前記フラップのうちの少なくとも１つの上に配置された接着式の閉鎖部と、
を含み、前記フラップは、前記開口部から前記物品の少なくとも１つを取り出せるようにするために、該フラップによって前記開口部が実質的に遮られない開位置と、前記物品を前記ポケットの中に保持し、前記物品の少なくとも１つが前記開口部から出て行くのを防ぐために、該フラップが前記開口部と前記ポケットの外側領域を覆う閉位置との間で選択的に動かすことができ、前記フラップ及びポケットは、前記予め選択された数の物品を収容するときに、前記物品の幅の約２倍より小さい幅を有する中空の内部を定めることを特徴とするパッケージ。
【請求項２９】
前記中空の内部の幅は、そこから前記物品が取り出されたときに前記物品の幅の約１．２倍であることを特徴とする請求項２８に記載のパッケージ。
【請求項３０】
スタック状に配置される予め選択された複数の吸収性物品と、包装とからなるパッケージであって、前記吸収性物品の各々は個々にラップされ、前記ラップされた吸収性物品の各々は、前記複数の物品の中の他の物品に対してほぼ一様な幅及び長さを有し、前記包装が、前記物品の少なくとも１つをそこから取り出せるようにするために、前記ラップされた吸収性物品の幅に等しいか又はそれより大きい幅を有する再び閉じることができる開口部をもつ、前記吸収性物品を収容する可撓性のポケットと、近位端で前記ポケットに接続されたフラップと、前記ポケット及びフラップの少なくとも一方に関連し、前記ポケット及びフラップの他方を閉位置に取り外し可能に取り付けて前記開口部から前記吸収性物品が出て行くのを防ぐための閉鎖部とを含み、前記フラップは、前記開口部を通して前記ポケットから前記吸収性物品を取り出せるようにするための開位置と、該フラップが前記開口部を覆って前記吸収性物品が出て行くのを防ぐ閉位置との間で選択的に動かすことができ、前記ポケットは、そこから前記物品が取り出されたときに前記物品の長さの約２倍より小さく、かつ前記予め選択された数の物品を収容したときに前記物品の長さの約１倍より大きい長さを有する中空の内部を少なくとも部分的に定めることを特徴とするパッケージ。
【請求項３１】
前記中空の内部の長さは、そこから前記物品が取り出されたときに、前記物品の長さの約１．２倍であることを特徴とする請求項３０に記載のパッケージ。
【請求項３２】
スタック状に配置される予め選択された複数の吸収性物品と、包装とからなるパッケージであって、前記吸収性物品の各々は、個々にラップされ、かつ前記複数の物品の中の他の物品に対してほぼ一様な長さを有し、前記包装が、
前記物品の少なくとも１つをそこから取り出せるようにするサイズ及び形状にされた開口部を有する、前記吸収性物品を収容するための可撓性のポケットと、
前記ポケットに取り付けられ、前記複数の吸収性物品を前記ポケットの中に保持するために前記開口部を覆うように適合されたフラップと、
前記フラップを閉位置に取り外し可能に保持するために、前記ポケットと前記フラップのうちの少なくとも１つの上に配置された接着式の閉鎖部と、
を含み、前記フラップは、前記開口部から前記物品の少なくとも１つを取り出せるようにするために、該フラップによって前記開口部が実質的に遮られない開位置と、前記物品を前記ポケットの中に保持し、前記物品の少なくとも１つが前記開口部から出て行くのを防ぐために、該フラップが前記開口部と前記ポケットの外側領域を覆う閉位置との間で選択的に動かすことができ、前記フラップ及びポケットは、そこから前記物品を取り出したときに、前記物品の長さの約２倍より小さい長さを有する中空の内部を定めることを特徴とするパッケージ。
【請求項３３】
前記中空の内部の長さは、そこから前記物品が取り出されたときに前記物品の長さの約１．２倍であることを特徴とする請求項３２に記載のパッケージ。
【請求項３４】
スタック状に配置される予め選択された複数の吸収性物品と、
包装と、
からなるパッケージであって、前記吸収性物品の各々は個々にラップされ、かつ前記複数の物品の中の他の物品に対してほぼ一様な幅を有し、前記包装が、前記物品の少なくとも１つをそこから取り出せるようにするサイズ及び形状にされた開口部をもつ、前記吸収性物品を収容するための可撓性のポケットと、近位端で前記ポケットに取り付けられたフラップと、前記ポケット及びフラップの少なくとも一方に関連し、前記ポケット及びフラップの他方を閉位置に取り外し可能に取り付けて前記開口部から前記吸収性物品が出て行くのを防ぐための閉鎖部とを含み、前記フラップは、前記開口部を通して前記ポケットから前記吸収性物品を取り出せるようにするための開位置と、該フラップが前記開口部を覆って前記吸収性物品が出て行くのを防ぐ閉位置との間で選択的に動かすことができ、前記開口部は、前記ポケットに前記物品を収容したときに、前記物品の幅の約２倍より小さく前記物品の幅の約１倍より大きい幅を有することを特徴とするパッケージ。
【請求項３５】
前記開口部の幅は、そこから前記物品が取り出されたときに、前記物品の幅の約１．２倍の幅であることを特徴とする請求項３４に記載のパッケージ。
【請求項３６】
スタック状に配置される予め選択された複数の吸収性物品と、
包装と、
からなるパッケージであって、前記吸収性物品の各々は、個々にラップされ、かつ前記複数の物品の中の他の物品に対してほぼ一様な幅と、他の物品に対してほぼ一様な厚さとを有し、前記包装が、前記物品の少なくとも１つをそこから取り出せるようにするサイズ及び形状にされた開口部をもつ、前記吸収性物品を収容するための可撓性のポケットと、近位端で前記ポケットに取り付けられたフラップと、前記ポケット及びフラップの少なくとも一方に関連し、前記ポケット及びフラップの他方を閉位置に取り外し可能に取り付けて前記吸収性物品が前記開口部から出て行くのを防ぐための閉鎖部とを含み、前記フラップは、前記開口部を通して前記ポケットから前記吸収性物品を取り出せるようにするための開位置と、該フラップが前記開口部を覆って前記吸収性物品が出て行くのを防ぐ閉位置との間で選択的に動かすことができ、前記開口部は、前記ポケットに前記予め選択された数の物品を収容したときに、前記物品の幅と厚さとの積に物品の数を掛けたものの約２倍より小さく、かつ前記積に物品の数を掛けたものの約１倍より大きい面積を有することを特徴とするパッケージ。
【請求項３７】
少なくとも１つの吸収性物品と、包装とからなるパッケージであって、前記包装が、
前記吸収性物品を収容するサイズ及び形状にされた中空の内部をもつ可撓性のポケットと、
前記ポケットの中空の内部の中に延び、前記ポケットの中空の内部から前記物品を取り出せるようにするサイズ及び形状にされた開口部と、
前記ポケットに取り付けられ、前記吸収性物品を前記ポケットの中空の内部に保持するために前記開口部を覆うように適合されたフラップと、
を含み、前記フラップは、前記開口部から前記物品の少なくとも１つを取り出せるようにするために、該フラップによって前記開口部が実質的に遮られない開位置と、前記物品を前記ポケットの中に保持し、前記開口部から前記物品の少なくとも１つが出て行くのを防ぐために、該フラップが前記開口部と前記ポケットの外側領域を覆う閉位置との間で選択的に動かすことができ、前記フラップ及びポケットのうちの少なくとも１つは、前記フラップの縁の視覚判別性を高めるために、前記ポケットから前記フラップの縁を見分けるための視覚指示部を含み、前記視覚指示部は、前記フラップ及びポケット上の視覚的に対比のある表面処理からなり、該表面処理は、前記フラップの少なくとも両側の縁マージンの第１色と、前記ポケットの外表面の少なくとも一部の第２色とを含み、前記第１色は、約１５ミリメートルより小さい幅を有することを特徴とするパッケージ。
【請求項３８】
前記第１色が、前記包装の原材料の色であり、前記第２色が、前記包装上に印刷されたことを特徴とする請求項３７に記載のパッケージ。
【請求項３９】
前記包装の原材料の色が白であることを特徴とする請求項３８に記載のパッケージ。
【請求項４０】
前記第１色を有する前記フラップの前記縁マージンが、前記フラップの下縁マージンを含むことを特徴とする請求項３７に記載のパッケージ。
【請求項４１】
前記第１色を有する前記下縁マージンが、約１５ミリメートルより小さい幅を有することを特徴とする請求項４０に記載のパッケージ。
【請求項４２】
前記第１色を有する前記下縁マージンが、約４ミリメートルより小さい幅を有することを特徴とする請求項４１に記載のパッケージ。
【請求項４３】
前記第１色を有する前記側縁マージンが、約４ミリメートルより小さい幅を有することを特徴とする請求項３７に記載のパッケージ。
【請求項４４】
前記フラップが、前記第２色を含むことを特徴とする請求項３７に記載のパッケージ。
【請求項４５】
前記包装が、両側の側縁と前記側縁の間に延びる第１の折り目とを有する矩形のシートからなり、各側縁は、前記第１の折り目によって分離される前部と後部とを有し、前記第１の折り目は前記ポケットの底部を形成し、前記側縁の各々の前部は、前記側縁の各々の対応する後部に接合されて、これにより前記ポケットの両側部が形成され、前記シートの前記側縁に対応する前記側部マージンは、実質的に印刷なしであることを特徴とする請求項３７に記載のパッケージ。
【請求項４６】
前記シートが、ヒートシール可能なポリマーシートであることを特徴とする請求項４５に記載のパッケージ。
【請求項４７】
前記シートが、前記側縁の間で前記第１の折り目にほぼ平行に上に延びる第２の折り目を有し、前記第２の折り目が、前記フラップを前記ポケットから分離し、前記フラップの縁マージンが実質的に印刷なしであることを特徴とする請求項４５に記載のパッケージ。
【請求項４８】
前記実質的に印刷なしのフラップの縁マージンが、前記フラップの下縁マージンを含むことを特徴とする請求項４７に記載のパッケージ。
【請求項４９】
前記包装が、前記フラップを前記閉位置に取り外し可能に保持するために、前記ポケットと前記フラップのうちの少なくとも一方に配置された閉鎖部を含むことを特徴とする請求項３７に記載のパッケージ。
【請求項５０】
前記閉鎖部は、前記フラップの一部をつかんで該閉鎖部を剥離することなく前記ポケットから分離できるようにするために、前記フラップの遠位縁から間隔をおいて配置されることを特徴とする請求項４９に記載のパッケージ。
【請求項５１】
前記ポケットの前記中空の内部が、前記物品を含む複数の吸収性物品を収容するサイズ及び形状にされたことを特徴とする請求項３７に記載のパッケージ。
【請求項５２】
前記複数の吸収性物品がスタック状に配置されたことを特徴とする請求項５１に記載のパッケージ。
【請求項５３】
前記吸収性物品が婦人用ケア製品を含むことを特徴とする請求項３７に記載のパッケージ。
【請求項５４】
前記婦人用ケア製品がパンティライナを含むことを特徴とする請求項５３に記載のパッケージ。
【請求項５５】
前記婦人用ケア製品が陰唇間パッドを含むことを特徴とする請求項５３に記載のパッケージ。
【請求項５６】
前記フラップと前記ポケットのうちの少なくとも一方が、前記フラップの触覚判別性を高めるために、前記ポケットから前記フラップの縁を判別するための触覚指示部を含むことを特徴とする請求項３７に記載のパッケージ。
【請求項５７】
前記触覚指示部が、前記フラップ及びポケットの少なくとも一方の外表面のテキスチャー化された部分を含むことを特徴とする請求項５６に記載のパッケージ。
【請求項５８】
前記テキスチャー化された部分が、前記フラップの外表面のローレット切りされた部分であることを特徴とする請求項５７に記載のパッケージ。
【請求項５９】
少なくとも１つの吸収性物品と包装とからなるパッケージであって、前記包装が、
前記吸収性物品を収容するサイズ及び形状にされた中空の内部をもつ可撓性のポケットと、
前記ポケットの中空の内部の中に延び、前記ポケットの中空の内部から前記物品を取り出せるようにするサイズ及び形状にされた開口部と、
前記ポケットに取り付けられ、前記吸収性物品を前記ポケットの中空の内部に保持するために前記開口部を覆うように適合されたフラップと、
を含み、前記フラップは、前記開口部から前記物品の少なくとも１つを取り出せるようにするために、該フラップによって前記開口部が実質的に遮られない開位置と、前記物品を前記ポケットの中に保持し、前記開口部から前記物品の少なくとも１つが出て行くのを防ぐために、該フラップが前記開口部と前記ポケットの外側領域を覆う閉位置との間で選択的に動かすことができ、前記フラップは、長さ、幅、自由縁、及び前記自由縁から内側に前記フラップの幅及び長さの両方より短い距離だけ延びる自由縁マージンを有し、前記フラップはさらに、前記ポケットの少なくとも一部の色とは異なる色を有する着色部分からなる視覚指示部を含み、前記着色部分は、細長く、かつ前記フラップが閉位置にあるときに前記ポケットから前記フラップの自由縁を視覚的に判別するために、前記フラップの前記縁マージンの内側で前記フラップの自由縁に沿って延びる長さを有することを特徴とするパッケージ。
【請求項６０】
前記着色部分が連続的であることを特徴とする請求項５９に記載のパッケージ。
【請求項６１】
前記着色部分がべた一色であることを特徴とする請求項６０に記載のパッケージ。
【請求項６２】
前記縁マージンが側縁マージンと下縁マージンを含み、前記着色部分が前記下縁マージンに沿って延びることを特徴とする請求項５９に記載のパッケージ。
【請求項６３】
前記縁マージンが側縁マージンと下縁マージンを含み、前記着色部分が前記側縁マージンに沿って延びることを特徴とする請求項６２に記載のパッケージ。
【請求項６４】
前記着色部分が前記縁マージンに一致されて、前記縁マージン全体が着色されることを特徴とする請求項５９に記載の親パッケージ。
【請求項６５】
複数の実用パッケージと取り外し可能な親包装とからなる親パッケージであって、前記実用パッケージの各々が、複数の吸収性物品と、前記複数の吸収性物品を収容するサイズ及び形状にされた中空の内部を有する可撓性のポケットと、前記ポケットの中空の内部の中に延び、かつ該ポケットの中空の内部から前記複数の物品の少なくとも１つを取り出せるようにするサイズ及び寸法にされた再閉鎖可能な開口部とを有し、前記親包装が、前記複数の実用パッケージを取り囲み、かつ前記複数の実用パッケージを収容する中空の内部を有することを特徴とする親パッケージ。
【請求項６６】
前記複数の吸収性物品が婦人用ケア製品を含むことを特徴とする請求項６５に記載の親パッケージ。
【請求項６７】
前記吸収性物品の各々が個々にラップされることを特徴とする請求項６５に記載の親パッケージ。
【請求項６８】
前記婦人用ケア製品がパンティライナと陰唇間パッドのうちの少なくとも１つを含むことを特徴とする請求項６６に記載の親パッケージ。
【請求項６９】
前記吸収性物品の各々が個々にラップされることを特徴とする請求項６８に記載の親パッケージ。
【請求項７０】
前記吸収性物品の各々のための取り外し可能なラップ材をさらに含み、前記取り外し可能なラップ材が矩形のシートからなり、前記矩形のシートが、
前部、中央部、及び後部を有する両側の側縁と、
前記側縁の間に延びて前記中央部と前記後部を分離し、これにより前記ラップ材の底部を形成する第１の折り目と、
前記側縁の間で前記第１の折り目にほぼ平行に上に延びて、前記中央部と前部を分離し、これにより前記ラップ材の上部を形成する第２の折り目と、
を有し、前記側縁の各々の中央部が前記側縁の各々の対応する後部に接合され、前記側縁の各々の前部が前記側縁の各々の対応する中央部に接合され、これにより前記ラップ材の両側の側部が形成されることを特徴とする請求項６９に記載の親パッケージ
【請求項７１】
前記親包装が、その上に印刷を含むことを特徴とする請求項６５に記載の親パッケージ。
【請求項７２】
前記実用包装の各々が、前記ポケットに取り付けられ、前記複数の吸収性物品を前記ポケットの中空の内部の中に保持するために前記開口部を覆うように適合されたフラップを含み、前記フラップが、前記開口部から前記物品の少なくとも１つを取り出せるようにするために、該フラップによって前記開口部がほぼ遮られない開位置と、前記物品を前記ポケットの中に保持し、前記開口部から前記物品の少なくとも１つが出て行くのを防ぐために、該フラップが前記開口部と前記ポケットの外側領域を覆う閉位置との間で選択的に動かすことができるようにされることを特徴とする請求項６５に記載の親パッケージ。
【請求項７３】
前記実用包装の各々が、前記フラップを前記閉位置に取り外し可能に保持するために、前記ポケットと前記フラップのうちの少なくとも一方に配置された閉鎖部を含むことを特徴とする請求項７２に記載の親パッケージ。
【請求項７４】
前記閉鎖部が、接着式の閉鎖部であることを特徴とする請求項６６に記載の親パッケージ。
【請求項７５】
前記実用包装の各々が矩形のシートからなり、前記矩形のシートが、両側の側縁と前記側縁の間に延びる第１の折り目とを有し、前記側縁の各々は、前記第１の折り目によって分離される前部と後部を有し、前記第１の折り目は前記ポケットの底部を形成し、前記側縁の各々の前部が前記側縁の各々の対応する後部に接合されて、これにより前記ポケットの両側の側部が形成されることを特徴とする請求項７２に記載の親パッケージ。
【請求項７６】
前記シートが、前記側縁の間で前記第１の折り目にほぼ平行に上に延びる第２の折り目を有し、これにより前記第２の折り目が前記ポケットから前記フラップを分離することを特徴とする請求項７５に記載のパッケージ。
【請求項７７】
前記複数の吸収性物品が、前記実用包装の中でスタック状に配置されることを特徴とする請求項８４に記載のパッケージ。
【請求項７８】
前記複数の実用パッケージが、前記親包装の内部で少なくとも１つのスタック状に配置されることを特徴とする請求項６５に記載のパッケージ。
【請求項７９】
前記複数の吸収性物品が、約８より少ない吸収性物品を含むことを特徴とする請求項６５に記載のパッケージ。
【請求項８０】
前記複数の吸収性物品が、約５つの吸収性物品を含むことを特徴とする請求項７９に記載のパッケージ。
【請求項８１】
前記複数の実用パッケージが、約１２より少ない実用パッケージを含むことを特徴とする請求項６５に記載のパッケージ。
【請求項８２】
前記複数の実用パッケージが、約１０の実用パッケージを含むことを特徴とする請求項８１に記載のパッケージ。
【請求項８３】
前記複数の実用パッケージが２つのスタック状に配置されることを特徴とする請求項８２に記載のパッケージ。
【請求項８４】
前記複数の実用パッケージが、約９の実用パッケージを含むことを特徴とする請求項８３に記載のパッケージ。
【請求項８５】
前記複数の実用パッケージが単一のスタック状に配置されることを特徴とする請求項８４に記載のパッケージ。
【請求項８６】
前記親包装がガセットを含むことを特徴とする請求項６５に記載のパッケージ。
【請求項８７】
パッドの取替えを、衛生的な状態に維持して必要な時に衛生的な状態で使うために直ちに入手可能となるような手法で衛生的な状態で持ち運ぶための陰唇間パッドのパッケージであって、前記パッケージが、レセプタクルと、前記レセプタクルの中の取替えパッドとを含み、前記レセプタクルは、必要な時に使用するためにそこからパッドを取り出すことができる開口部を有し、前記レセプタクルは、前記開口部を閉じるための再閉鎖可能な閉鎖部を有し、前記閉鎖部は、前記パッドを衛生的な状態で持ち運ぶために、及びパッドを取り出した後の前記レセプタクルの中に残っているパッドを衛生的な状態で持ち運び続けるために閉じられることを特徴とするパッケージ。
【請求項８８】
前記陰唇間パッドが前記レセプタクルの中に個包装されることを特徴とする請求項８７に記載のパッケージ。
【請求項８９】
前記レセプタクルがバッグからなり、該バッグは、側部と底部で接合され、かつ前記開口部を定めるために上部において互いに実質的に自由である前壁及び後壁を備え、前記フラップは前記後壁と一体にされ、前記開口部の上に折り畳まれ、前記前壁の上に重なり、前記前壁に取り外し可能に付着されることを特徴とする請求項８７に記載のパッケージ。
【請求項９０】
前記バッグが、折り畳まれて前記前壁及び後壁を形成するブランクを含み、前記折り目が、前記バッグの底部を構成し、前記前壁及び後壁が、それらの側部で互いに取り付けられることを特徴とする請求項８９に記載のパッケージ。
【請求項９１】
前記ブランクが、前記バッグの中に包装されたパッドを隠すために少なくとも部分的に不透明にされ、前記前壁は、前記フラップを取り外し可能に付着するために、該前壁の上に感圧接着剤を有することを特徴とする請求項９０に記載のパッケージ。
【請求項９２】
前記ブランクがプラスチックフィルムからなることを特徴とする請求項９０に記載のパッケージ。
【請求項９３】
前記陰唇間パッドが、前記レセプタクルの中に個包装されることを特徴とする請求項８９に記載のパッケージ。
【請求項９４】
前記レセプタクルは、前記開口部が上になった状態で側部と底部で接合された前壁及び後壁を有するバッグからなり、前記閉鎖部が、前記開口部に隣接する前記壁を横切って延びるプレス嵌め部材からなることを特徴とする請求項８７に記載のパッケージ。
【請求項９５】
前記バッグが、折り畳まれて前記前壁及び後壁を形成するブランクからなり、前記折り目が前記バッグの底部を構成し、前記前壁及び後壁が、それらの側部で互いに取り付けられることを特徴とする請求項８７に記載のパッケージ。
【請求項９６】
前記ブランクは、前記バッグの中の包装されたパッドを隠すために、少なくとも部分的に不透明にされることを特徴とする請求項９５に記載のパッケージ。
【請求項９７】
前記ブランクがプラスチックフィルムからなることを特徴とする請求項９５に記載のパッケージ。
【請求項９８】
前記陰唇間パッドが前記レセプタクルの中に個包装されることを特徴とする請求項９５に記載のパッケージ。
【請求項９９】
前記レセプタクルは、前記開口部が上になった状態で側部と底部で接合された前壁及び後壁を有するバッグからなり、前記閉鎖部が、前記開口部に隣接する前記壁を横切って延びるスライド式のファスナ部材と、スライド式のファスナからなることを特徴とする請求項８７に記載のパッケージ。
【請求項１００】
前記バッグが、折り畳まれて前記前壁及び後壁を形成するブランクからなり、前記折り目が前記バッグの底部を構成し、前記前壁及び後壁がそれらの側部で互いに取り付けられることを特徴とする請求項９９に記載のパッケージ。
【請求項１０１】
前記ブランクが、前記バッグの中の前記包装されたパッドを隠すために、少なくとも部分的に不透明にされることを特徴とする請求項１００に記載のパッケージ。
【請求項１０２】
前記ブランクがプラスチックフィルムからなることを特徴とする請求項１００に記載のパッケージ。
【請求項１０３】
前記陰唇間パッドが前記レセプタクルの中に個包装されることを特徴とする請求項１００に記載のパッケージ。
【請求項１０４】
前記レセプタクルは、各々が開口部を有する２つのポケットをもつ札入れの形態であり、前記開口部が内側になるように半分に折り畳むことができることを特徴とする請求項８７に記載のパッケージ。
【請求項１０５】
プラスチックフィルムの細長い矩形の外側壁と、前記外側壁の内面を構成する面を横切って、前記外側壁の片側から他方側まで前記外側壁の端部から内向きに延びる内側壁とを備え、前記内側壁の各々は、前記外側壁の長さの中央より短く終わり、その内縁において開口部をもつパッド収容ポケットを形成することを特徴とする請求項１０４に記載のパッケージ。
【請求項１０６】
前記レセプタクルが、細長い矩形のブランクからなり、その端部が折り畳まれて前記内側壁を構成し、折り目は前記ポケットの底部を形成し、前記折り畳まれた端部は両側で前記折り目の中間の前記ブランク部分に取り付けられ、前記部分が前記外側壁を構成することを特徴とする請求項１０５に記載のパッケージ。
【請求項１０７】
前記ブランクが、前記バッグの中の前記包装されたパッドを隠すために、少なくとも部分的に不透明にされることを特徴とする請求項１０６に記載のパッケージ。
【請求項１０８】
前記ブランクが、プラスチックフィルムからなることを特徴とする請求項１０６に記載のパッケージ。
【請求項１０９】
前記パッドの取替えのうちの前記陰唇間パッドの各々は、実質的に同じサイズのものであることを特徴とする請求項８７に記載のパッケージ。
【請求項１１０】
陰唇間パッドのみが前記レセプタクルの中に入れられることを特徴とする請求項８７に記載のパッケージ。
【国際調査報告】
2004518587.tif 000102
2004518587.tif 000103
2004518587.tif 000104
2004518587.tif 000105
2004518587.tif 000106
2004518587.tif 000107
2004518587.tif 000108